(57)【要約】  本開示のいくつかの態様は、スケジュールされたエンティティによるアップリンクフィードバック制御情報の送信をスケジュールするためのスケジューリング情報がスケジュールされたエンティティに送信されるワイヤレス通信システムを提供する。フィードバック制御情報は、短いアップリンク制御バーストまたは長いアップリンクバーストの中で送信され得る。短いアップリンク制御バーストと長いアップリンクバーストとの間の選択は、スケジュールされたエンティティにおける電力ヘッドルーム、短いアップリンク制御バーストまたは長いアップリンクバーストにおける干渉、短いアップリンク制御バーストまたは長いアップリンクバーストの負荷、またはスケジュールされたエンティティの処理能力に基づき得る。
2020502863.tif 000002
【特許請求の範囲】
【請求項１】
スケジューリングエンティティにおいて動作可能なワイヤレス通信の方法であって、
スケジュールされたエンティティによるアップリンク制御情報の送信をスケジュールするために有効なスケジューリング情報を送信するステップと、
短いアップリンク制御バーストを提供する2つ以上のスロットの各々の中で長いダウンリンクバーストを送信するステップと、
長いアップリンクバーストを提供する少なくとも1つのスロットの中で短いダウンリンク制御バーストを送信するステップと
を含み、
前記スケジューリング情報が、前記スケジュールされたエンティティに前記アップリンク制御情報の送信のために前記短いアップリンク制御バーストと前記長いアップリンクバーストのどちらかを選択させるように構成される、方法。
【請求項２】
前記短いアップリンク制御バーストの中の前記アップリンク制御情報の送信のために前記スケジュールされたエンティティにおいて利用可能な電力を識別する情報を受信するステップと、
前記スケジュールされたエンティティにおいて利用可能な電力を識別する前記情報に基づいて前記スケジューリング情報を生成するステップと
をさらに含む、請求項1に記載の方法。
【請求項３】
前記スケジューリング情報が、前記スケジュールされたエンティティに、
前記短いアップリンク制御バーストの中の前記アップリンク制御情報の確実な送信のために不十分な電力が利用可能であるとき、前記アップリンク制御情報の送信のために前記長いアップリンクバーストを選択させ、
前記短いアップリンク制御バーストの中の前記アップリンク制御情報の確実な送信のために十分な電力が利用可能であるとき、前記アップリンク制御情報の送信のために前記短いアップリンク制御バーストを選択させる
ように構成させる、請求項2に記載の方法。
【請求項４】
前記スケジュールされたエンティティに、前記短いアップリンク制御バーストの中で前記アップリンク制御情報を送信するとき、第1の電力設定を使用させ、前記長いアップリンクバーストの中で前記アップリンク制御情報を送信するとき、第2の電力設定を使用させるために有効な制御情報を送信するステップ
をさらに含む、請求項2に記載の方法。
【請求項５】
前記スケジューリング情報を前記生成するステップが、
1つまたは複数のアップリンク送信における干渉の測定を取得するステップと、
前記スケジュールされたエンティティに、前記1つまたは複数のアップリンク送信における干渉の前記測定に基づいて、前記アップリンク制御情報の送信のために前記短いアップリンク制御バーストと前記長いアップリンクバーストのどちらかを選択させるように前記スケジューリング情報を構成するステップと
を含む、請求項2に記載の方法。
【請求項６】
前記1つまたは複数のアップリンク送信における干渉の前記測定を前記取得するステップが、
前記短いアップリンク制御バーストに対して、および前記長いアップリンクバーストに対してスケジュールされたリソースに影響を及ぼす干渉を測定するステップと、
前記短いアップリンク制御バーストおよび前記長いアップリンクバーストに影響を及ぼす干渉の測定同士の間の差異に基づいて前記アップリンク制御情報をスケジュールするステップと
を含む、請求項5に記載の方法。
【請求項７】
前記短いアップリンク制御バーストに影響を及ぼす干渉に基づいて、前記長いアップリンクバーストの中で前記アップリンク制御情報をスケジュールするステップ
をさらに含む、請求項5に記載の方法。
【請求項８】
前記短いアップリンク制御バーストおよび前記長いアップリンクバーストのうちの、負荷が少ないバーストの中で前記アップリンク制御情報を送信するように前記スケジュールされたエンティティが構成されるように前記スケジューリング情報を生成するステップ
をさらに含む、請求項1に記載の方法。
【請求項９】
前記スケジュールされたエンティティにおいてフィードバック遅延を構成するために有効な制御情報を送信するステップであって、前記フィードバック遅延が、前記スケジュールされたエンティティの処理能力に基づく、ステップ
をさらに含み、
前記フィードバック遅延が、前記アップリンク制御情報の送信のために使用されるべき前記短いアップリンク制御バーストまたは前記長いアップリンクバーストに対するスロットオフセットを判定するために前記スケジュールされたエンティによって使用される
請求項1に記載の方法。
【請求項１０】
前記長いダウンリンクバーストを前記送信するステップが、
アグリゲートされたスロットを取得するために、複数の長いダウンリンクバーストを1つの短いアップリンク制御バーストとアグリゲートするステップと、
前記アグリゲートされたスロット内の前記短いアップリンク制御バーストのタイミングに基づいて、前記スケジューリング情報を生成するステップと
を含み、
前記複数の長いダウンリンクバーストの各々に関連するフィードバックが、前記1つの短いアップリンク制御バーストの中で送信される、請求項1に記載の方法。
【請求項１１】
前記スケジューリング情報を前記生成するステップが、
前記アグリゲートされたスロットの中の第1の送信されたダウンリンクバーストの中で送信されたダウンリンク制御情報内の各ダウンリンクバーストに関する前記スケジューリング情報を提供するステップ
を含み、
前記スケジュールされたエンティティが、前記アグリゲートされたスロットの中の各ダウンリンクバーストに対する前記短いアップリンク制御バーストの相対的タイミングを算出する、請求項10に記載の方法。
【請求項１２】
複数の長いダウンリンクバーストに対応する前記アップリンク制御情報が共通の短いアップリンク制御バーストまたは長いアップリンクバーストの中の送信のためにスケジュールされるように前記スケジューリング情報を生成するステップ
をさらに含む、請求項1に記載の方法。
【請求項１３】
ワイヤレス通信のために構成されたスケジューリングエンティティであって、
1つまたは複数のスケジュールされたエンティティとワイヤレスで通信するように構成された通信インターフェースと、
実行可能コードを含むメモリと、
前記通信インターフェースおよび前記メモリに結合されたプロセッサと
を含み、
前記プロセッサが、
スケジュールされたエンティティによるアップリンク制御情報の送信をスケジュールするために有効なスケジューリング情報を送信し、
短いアップリンク制御バーストを提供する2つ以上のスロットの各々の中で長いダウンリンクバーストを送信し、
長いアップリンクバーストを提供する少なくとも1つのスロットの中で短いダウンリンク制御バーストを送信する
ように前記実行可能コードによって構成され、
前記スケジューリング情報が、前記スケジュールされたエンティティに前記アップリンク制御情報の送信のために前記短いアップリンク制御バーストと前記長いアップリンクバーストのどちらかを選択させるように構成される、スケジューリングエンティティ。
【請求項１４】
前記プロセッサが、
前記短いアップリンク制御バーストの中の前記アップリンク制御情報の送信のために前記スケジュールされたエンティティにおいて利用可能な電力を識別する情報を受信し、
前記スケジュールされたエンティティにおいて利用可能な電力を識別する前記情報に基づいて前記スケジューリング情報を生成する
ように前記実行可能コードによってさらに構成される、請求項13に記載のスケジューリングエンティティ。
【請求項１５】
前記スケジューリング情報が、前記スケジュールされたエンティティに、
前記短いアップリンク制御バーストの中の前記アップリンク制御情報の確実な送信のために不十分な電力が利用可能であるとき、前記アップリンク制御情報の送信のために前記長いアップリンクバーストを選択させ、
前記短いアップリンク制御バーストの中の前記アップリンク制御情報の確実な送信のために十分な電力が利用可能であるとき、前記アップリンク制御情報の送信のために前記短いアップリンク制御バーストを選択させる
ように構成される、請求項14に記載のスケジューリングエンティティ。
【請求項１６】
前記プロセッサが、
前記スケジュールされたエンティティに、前記短いアップリンク制御バーストの中で前記アップリンク制御情報を送信するとき、第1の電力設定を使用させ、前記長いアップリンクバーストの中で前記アップリンク制御情報を送信するとき、第2の電力設定を使用させるために有効な制御情報を送信させる
ように前記実行可能コードによってさらに構成される、請求項14に記載のスケジューリングエンティティ。
【請求項１７】
前記プロセッサが、
1つまたは複数のアップリンク送信における干渉の測定を取得し、
前記スケジュールされたエンティティに、前記1つまたは複数のアップリンク送信における干渉の前記測定に基づいて、前記アップリンク制御情報の送信のために前記短いアップリンク制御バーストと前記長いアップリンクバーストのどちらかを選択させるように前記スケジューリング情報を構成する
ように前記実行可能コードによってさらに構成される、請求項13に記載のスケジューリングエンティティ。
【請求項１８】
前記プロセッサが、
前記短いアップリンク制御バーストに対して、および前記長いアップリンクバーストに対してスケジュールされたリソースに影響を及ぼす干渉を測定し、
前記短いアップリンク制御バーストおよび前記長いアップリンクバーストに影響を及ぼす干渉の測定同士の間の差異に基づいて前記アップリンク制御情報をスケジュールする
ように前記実行可能コードによってさらに構成される、請求項13に記載のスケジューリングエンティティ。
【請求項１９】
前記プロセッサが、
前記スケジュールされたエンティティに前記スケジュールされたエンティティにおいてフィードバック遅延を構成させるために有効な制御情報を送信することであって、前記フィードバック遅延が、前記スケジュールされたエンティティの処理能力に基づく、送信すること
を行うように前記実行可能コードによってさらに構成され、
前記フィードバック遅延が、前記アップリンク制御情報の送信のために使用されるべき前記短いアップリンク制御バーストまたは前記長いアップリンクバーストに対するスロットオフセットを判定するために前記スケジュールされたエンティによって使用される
請求項13に記載のスケジューリングエンティティ。
【請求項２０】
前記長いダウンリンクバーストが、
アグリゲートされたスロットを取得するために、複数の長いダウンリンクバーストを1つの短いアップリンク制御バーストとアグリゲートし、
前記アグリゲートされたスロット内の前記短いアップリンク制御バーストのタイミングに基づいて、前記長いダウンリンクバーストの各々に関する前記スケジューリング情報を生成し、
各ダウンリンクバーストの中で送信されるダウンリンク制御情報内に前記各ダウンリンクバーストに関する前記スケジューリング情報を提供する
ことによって送信され、
前記複数の長いダウンリンクバーストの各々に関連するフィードバックが、前記1つの短いアップリンク制御バーストの中で送信される、請求項13に記載のスケジューリングエンティティ。
【請求項２１】
実行可能コードを記憶したコンピュータ可読記憶媒体であって、前記実行可能コードが、スケジューリングエンティティに、
スケジュールされたエンティティによるアップリンク制御情報の送信をスケジュールするために有効なスケジューリング情報を送信させ、
短いアップリンク制御バーストを提供する2つ以上のスロットの各々の中で長いダウンリンクバーストを送信させ、
長いアップリンクバーストを提供する少なくとも1つのスロットの中で短いダウンリンク制御バーストを送信させ、
前記スケジューリング情報が、前記スケジュールされたエンティティに前記アップリンク制御情報の送信のために前記短いアップリンク制御バーストと前記長いアップリンクバーストのどちらかを選択させるように構成される、コンピュータ可読記憶媒体。
【請求項２２】
前記スケジューリングエンティティに、
前記短いアップリンク制御バーストの中の前記アップリンク制御情報の送信のために前記スケジュールされたエンティティにおいて利用可能な電力を識別する情報を受信させ、
前記スケジュールされたエンティティにおいて利用可能な電力を識別する前記情報に基づいて前記スケジューリング情報を生成させる
ためのコードをさらに記憶し、
前記スケジューリング情報が、前記スケジュールされたエンティティに、前記短いアップリンク制御バーストの中の前記アップリンク制御情報の確実な送信のために不十分な電力が利用可能であるとき、前記アップリンク制御情報の送信のために前記長いアップリンクバーストを選択させるように構成され、
前記スケジューリング情報が、前記スケジュールされたエンティティに、前記短いアップリンク制御バーストの中の前記アップリンク制御情報の確実な送信のために十分な電力が利用可能であるとき、前記アップリンク制御情報の送信のために前記短いアップリンク制御バーストを選択させるように構成される、
請求項21に記載のコンピュータ可読記憶媒体。
【請求項２３】
前記スケジューリングエンティティに、
前記短いアップリンク制御バーストまたは前記長いアップリンクバーストにおける干渉または負荷に基づいて、前記スケジューリング情報を生成させる
ためのコードをさらに記憶した、請求項21に記載のコンピュータ可読記憶媒体。
【請求項２４】
前記スケジューリングエンティティに前記長いダウンリンクバーストを送信させるためのコードが、前記スケジューリングエンティティに、
アグリゲートされたスロットを取得するために、複数の長いダウンリンクバーストを1つの短いアップリンク制御バスとアグリゲートさせ、
前記アグリゲートされたスロット内の前記短いアップリンク制御バーストのタイミングに基づいて、前記スケジューリング情報を生成させる
ためのコードを含み、
前記複数の長いダウンリンクバーストの各々に関連するフィードバックが、前記1つの短いアップリンク制御バーストの中で送信される、請求項21に記載のコンピュータ可読記憶媒体。
【請求項２５】
前記スケジューリングエンティティに、
複数の長いダウンリンクバーストに対応する前記アップリンク制御情報が共通の短いアップリンク制御バーストまたは長いアップリンクバーストの中の送信のためにスケジュールされるように前記スケジューリング情報を生成させる
コードをさらに記憶した、請求項21に記載のコンピュータ可読記憶媒体。
【請求項２６】
ワイヤレスネットワークにおいてスケジューリングエンティティとして通信するように適合された装置であって、
スケジュールされたエンティティに送信されるべきスケジューリング情報を生成するための手段であって、前記スケジューリング情報が、前記スケジュールされたエンティティによるアップリンク制御情報の送信をスケジュールする情報を含む、手段と、
複数のスロットの中で情報を送信するための手段であって、前記複数のスロットが、長いダウンリンクバーストおよび短いアップリンク制御バーストのために構成された2つ以上のスロットを含み、少なくとも1つのスロットが、短いダウンリンク制御バーストおよび長いアップリンクバーストのために構成される、手段と
を含み、
前記スケジューリング情報が、前記スケジュールされたエンティティに前記アップリンク制御情報の送信のために前記短いアップリンク制御バーストと前記長いアップリンクバーストのどちらかを選択させるように構成される、
装置。
【請求項２７】
前記短いアップリンク制御バーストの中の前記アップリンク制御情報の送信のために前記スケジュールされたエンティティにおいて利用可能な電力を識別する情報を受信するための手段
をさらに含み、
前記スケジューリング情報を生成するための前記手段が、
前記短いアップリンク制御バーストの中の前記アップリンク制御情報の確実な送信のために不十分な電力が利用可能であるとき、前記アップリンク制御情報の送信のために前記長いアップリンクバーストを選択し、
前記短いアップリンク制御バーストの中の前記アップリンク制御情報の確実な送信のために十分な電力が利用可能であるとき、前記アップリンク制御情報の送信のために前記短いアップリンク制御バーストを選択する
ことによって、前記スケジュールされたエンティティにおいて利用可能な電力を識別する前記情報に基づいて前記スケジューリング情報を生成するように構成される、請求項26に記載の装置。
【請求項２８】
前記スケジューリング情報を生成するための前記手段が、
1つまたは複数のアップリンク送信における干渉の測定を取得し、
前記スケジュールされたエンティティに、前記1つまたは複数のアップリンク送信における干渉の前記測定に基づいて、前記アップリンク制御情報の送信のために前記短いアップリンク制御バーストと前記長いアップリンクバーストのどちらかを選択させるように前記スケジューリング情報を構成する
ように構成される、請求項26に記載の装置。
【請求項２９】
前記スケジューリング情報を生成するための前記手段が、
前記短いアップリンク制御バーストおよび前記長いアップリンクバーストのうちの、負荷が少ないバーストの中で前記アップリンク制御情報を送信するように前記スケジュールされたエンティティが構成されるように前記スケジューリング情報を生成する
ように構成される、請求項26に記載の装置。
【請求項３０】
前記スケジューリング情報を生成するための前記手段が、
複数の長いダウンリンクバーストに対応する前記アップリンク制御情報が共通の短いアップリンク制御バーストまたは長いアップリンクバーストの中の送信のためにスケジュールされるように前記スケジューリング情報を生成する
ように構成される、請求項26に記載の装置。
【発明の詳細な説明】
【技術分野】
【０００１】
関連出願の相互参照
本出願は、2016年11月4日に米国特許商標庁に出願した仮出願第62/417,789号、および2016年9月20日に米国特許商標庁に出願した非仮出願第15/710,771号の優先権および利益を主張し、その内容全体は、その全体が以下に完全に記載されているかのように、またすべての適用可能な目的のために、参照により本明細書に組み込まれる。
【０００２】
以下で論じる技術は、一般に、ワイヤレス通信システムに関し、より詳細には、ワイヤレス通信および通信方法のための再構成可能なアップリンク制御送信に関する。
【背景技術】
【０００３】
ワイヤレス通信システムは、電話、ビデオ、データ、メッセージング、およびブロードキャストなどの、様々な電気通信サービスを提供するために広く展開されている。一般のワイヤレス通信システムは、利用可能なシステムリソース(たとえば、帯域幅、送信電力)を共有することによって複数のユーザとの通信をサポートすることが可能な多元接続技術を採用し得る。そのような多元接続技術の例としては、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システムがある。
【０００４】
多元接続技術は、異なるワイヤレスデバイスが都市、国家、地域、さらには地球レベルで通信することを可能にする共通プロトコルを提供するために、様々な電気通信規格において採用されている。たとえば、第5世代(5G)ニューラジオ(NR: new radio)通信技術は、現在のモバイルネットワーク世代に多様な使用シナリオおよびアプリケーションを拡張しサポートすることが想定される。一態様では、5G通信技術は、マルチメディアコンテンツ、サービス、およびデータにアクセスするためのヒューマンセントリック(human-centric)使用事例に対処する拡張型モバイルブロードバンドと、特に、レイテンシおよび信頼性の点で厳密な要件を備えた超高信頼性低レイテンシ通信(URLLC: ultra-reliable-low latency communications)と、非常に多数の接続デバイス、および、一般に、比較的低容量の遅延にセンシティブではない情報の送信のための大規模マシンタイプ通信とを含む。
【０００５】
ワイヤレス通信ネットワークは、異なる能力を備えた様々なタイプのデバイスに対する一層広い範囲のサービスを提供してサポートするために利用されている。いくつかのデバイスは、通信チャネルの利用可能な帯域幅を十分に利用することができるが、いくつかのデバイスは、十分な帯域幅を利用するためには限定されたまたはより少ない能力を有し、かつ/または特に、バッテリー充電式デバイスに対して動作時間を拡張するための電力を節約する必要がある。しかしながら、ロングタームエボリューション(LTE)などの現在の通信規格では、特に、次世代ネットワークまたは5Gネットワークのより広い帯域幅実装に拡張される場合、ダウンリンクスロット構造のいくつかの態様は、電力節約およびスペクトル効率の範囲を限定し得る。
【発明の概要】
【発明が解決しようとする課題】
【０００６】
しかしながら、モバイルブロードバンドアクセスに対する需要が増大し続けるにつれて、5G通信技術以降の技術におけるさらなる改善が必要である。好ましくは、これらの改善は、他の多元接続技術、およびこれらの技術を用いる電気通信規格に適用可能であるべきである。
【課題を解決するための手段】
【０００７】
以下のことは、本開示の1つまたは複数の態様の基本的理解を与えるために、そのような態様の簡略化された概要を提示する。本概要は、本開示のすべての企図される特徴の広範な概要でなく、本開示のすべての態様の主要または重要な要素を識別するものでも、本開示のいずれかまたはすべての態様の範囲を定めるものでもない。その唯一の目的は、後で提示されるより詳細な説明の前置きとして、本開示の1つまたは複数の態様のいくつかの概念を簡略化された形態で提示することである。
【０００８】
本開示のいくつかの態様は、スケジューリングエンティティにおいて動作可能なワイヤレス通信の方法であって、スケジュールされたエンティティによるアップリンク制御情報の送信をスケジュールするために有効なスケジューリング情報を送信するステップと、短いアップリンク制御バーストを提供する2つ以上のスロットの各々の中で長いダウンリンクバーストを送信するステップと、長いアップリンクバーストを提供する少なくとも1つのスロットの中で短いダウンリンク制御バーストを送信するステップとを含み、スケジューリング情報が、スケジュールされたエンティティにアップリンク制御情報の送信のために短いアップリンク制御バーストと長いアップリンクバーストのどちらかを選択させるように構成される、方法に関する。
【０００９】
本開示のいくつかの態様は、1つまたは複数のスケジュールされたエンティティとワイヤレスで通信するように構成された通信インターフェースと、実行可能コードを含むメモリと、通信インターフェースおよびメモリに結合されたプロセッサとを含み得る、ワイヤレス通信するように構成されたスケジューリングエンティティに関する。プロセッサは、スケジュールされたエンティティによるアップリンク制御情報の送信をスケジュールするために有効なスケジューリング情報を送信し、短いアップリンク制御バーストを提供する2つ以上のスロットの各々の中で長いダウンリンクバーストを送信し、長いアップリンクバーストを提供する少なくとも1つのスロットの中で短いダウンリンク制御バーストを送信するように実行可能コードによって構成可能であり、スケジューリング情報は、スケジュールされたエンティティにアップリンク制御情報の送信のために短いアップリンク制御バーストと長いアップリンクバーストのどちらかを選択させるように構成される。
【００１０】
本開示のいくつかの態様は、実行可能コードを記憶したコンピュータ可読記憶媒体であって、実行可能コードが、スケジューリングエンティティに、スケジュールされたエンティティによるアップリンク制御情報の送信をスケジュールするために有効なスケジューリング情報を送信するために、スケジューリング情報をスケジュールされたエンティティに送信させ、短いアップリンク制御バーストを提供する2つ以上のスロットの各々の中で長いダウンリンクバーストを送信させ、長いアップリンクバーストを提供する少なくとも1つのスロットの中で短いダウンリンク制御バーストを送信させ、スケジューリング情報が、スケジュールされたエンティティにアップリンク制御情報の送信のために短いアップリンク制御バーストと長いアップリンクバーストのどちらかを選択させるように構成される、コンピュータ可読記憶媒体に関する。
【００１１】
本開示のいくつかの態様は、ワイヤレスネットワークにおいてスケジューリングエンティティとして通信するように適合された装置であって、スケジューリングエンティティに送信されるべきスケジューリング情報を生成するための手段であって、スケジューリング情報が、スケジュールされたエンティティによるアップリンク制御情報の送信をスケジュールする情報を含む、生成するための手段と、複数のスロットの中で情報を送信するための手段であって、複数のスロットが、長いダウンリンクバーストおよび短いアップリンク制御バーストのために構成された2つ以上のスロットを含み、少なくとも1つのスロットが、短いダウンリンク制御バーストおよび長いアップリンクバーストのために構成される、送信するための手段とを含み、スケジューリング情報が、スケジュールされたエンティティにアップリンク制御情報の送信のために短いアップリンク制御バーストと長いアップリンクバーストのどちらかを選択させるように構成される、装置に関する。
【図面の簡単な説明】
【００１２】
【図１】アクセスネットワークの一例を示す図である。
【図２】本開示のいくつかの態様による、1つまたは複数のスケジュールされたエンティティと通信しているスケジューリングエンティティの一例を概念的に示すブロック図である。
【図３】本開示のいくつかの態様に従って適合され得る特定のアクセスネットワークにおいて採用され得るアップリンクセントリックスロット構造およびダウンリンクセントリックスロット構造を示す図である。
【図４】本開示のいくつかの態様に従って採用および/または適合され得る自己完結型スロットを示す図である。
【図５】本開示のいくつかの態様による、DLセントリックスロットおよびULセントリックスロットの各々の中に出現し得る共通ダウンリンク(DL)バーストおよび共通アップリンク(UL)バーストを示す図である。
【図６】本開示の一態様による、複数のスロットがDLセントリックスロットとULセントリックスロットとを含む送信を示す図である。
【図７】本開示の一態様による、報告されたUE電力ヘッドルームに基づいて構成され得るUL制御チャネル送信スケジュールの例を示す図である。
【図８】本開示の一態様による、処理電力を含む利用可能なUE能力に基づいてスケジュールされ得るUL制御チャネル送信の例を示す図である。
【図９】本開示の一態様による、UL制御バースト利用可能性に基づくULフィードバックスケジューリングの例を示す図である。
【図１０】本開示の一態様による、処理システムを採用するスケジューリングエンティティのためのハードウェア実装形態の一例を示すブロック図である。
【図１１】本開示の一態様による、処理システムを採用するスケジュールされたエンティティのためのハードウェア実装形態の一例を示すブロック図である。
【図１２】本開示のいくつかの態様による、フィードバックが特定の動作パラメータに基づいてスケジュールされる通信プロセスの第1の例を示すフローチャートである。
【図１３】本開示のいくつかの態様による、フィードバックが特定の動作パラメータに基づいてスケジュールされる通信プロセスの第2の例を示すフローチャートである。
【発明を実施するための形態】
【００１３】
添付の図面に関して以下に記載する発明を実施するための形態は、様々な構成について説明するものであり、本明細書で説明する概念が実践されてもよい唯一の構成を表すものではない。発明を実施するための形態は、様々な概念の完全な理解を与える目的で、具体的な詳細を含む。しかしながら、これらの概念はこれらの具体的な詳細がなくても実践され得ることが、当業者には明らかであろう。いくつかの事例では、そのような概念を不明瞭にすることを回避するために、よく知られている構造および構成要素がブロック図の形態で示される。
【００１４】
本開示の態様は、5G NR通信技術を実装するネットワークを含めて、次世代通信ネットワークまたは5Gワイヤレス通信ネットワークにおいて利用され得るフレキシブルかつ再構成可能なUL制御フィードバックを提供する。DL送信に関するフィードバックは、DL送信を搬送するスロット内の短いULバーストの中で提供され得る。場合によっては、処理能力、電力ヘッドルーム、および他の動作条件は、基地局に第1のスロットに関連するフィードバックの第2のスロットの中での送信をスケジュールさせ得る。場合によっては、特定のタイプのULバーストに関連するネットワーク負荷またはネットワーク干渉は、フィードバックを他のULバーストの中で送信させ得る。
【００１５】
本開示全体にわたって提示する様々な概念は、幅広い種類の電気通信システム、ネットワークアーキテクチャ、および通信規格にわたって実装され得る。次に図1を参照すると、限定はしないが例示的な例として、無線アクセスネットワーク100の概略図が提供される。
【００１６】
無線アクセスネットワーク100によってカバーされる地理的領域は、1つのアクセスポイントまたは基地局から地理的エリアにわたってブロードキャストされる識別情報に基づいてユーザ機器(UE)によって一意に識別され得る、いくつかのセルラー領域(セル)に分割され得る。図1は、マクロセル102、104、および106、ならびにスモールセル108を示し、その各々は、1つまたは複数のセクタを含み得る。セクタは、セルのサブエリアである。1つのセル内のすべてのセクタは、同じ基地局によってサービスされる。セクタ内の無線リンクは、そのセクタに属する単一の論理識別情報によって識別され得る。セクタに分割されるセルでは、セル内の複数のセクタはアンテナのグループによって形成されてよく、各アンテナがセルの一部分の中のUEとの通信を担当する。
【００１７】
概して、基地局(BS)は各セルをサービスする。概して、基地局は、1つまたは複数のセル内でUEとの間で無線送信および無線受信を担当する、無線アクセスネットワーク内のネットワーク要素である。BSは、当業者によって、基地トランシーバ局(BTS)、無線基地局、無線トランシーバ、トランシーバ機能、基本サービスセット(BSS)、拡張サービスセット(ESS)、アクセスポイント(AP)、ノードB(NB)、eノードB(eNB)、gノードB(gNB)、または何らかの他の好適な用語で呼ばれることもある。
【００１８】
図1において、2つの高電力基地局110および112が、セル102および104の中に示され、第3の高電力基地局114が、セル106の中でリモート無線ヘッド(RRH: remote radio head)116を制御するように示される。すなわち、基地局は、統合アンテナを有し得るか、またはフィーダケーブルによってアンテナもしくはRRHに接続され得る。図示の例では、高電力基地局110、112、および114はサイズが大きいセルをサポートするので、セル102、104、および106はマクロセルと呼ばれることがある。さらに、低電力基地局118が、1つまたは複数のマクロセルとオーバーラップし得るスモールセル108(たとえば、マイクロセル、ピコセル、フェムトセル、ホーム基地局、ホームノードB、ホームeノードBなど)の中に示される。この例では、低電力基地局118はサイズが比較的小さいセルをサポートするので、セル108はスモールセルと呼ばれることがある。セルサイズ決定は、システム設計ならびに構成要素制約に従って行われ得る。無線アクセスネットワーク100が任意の数のワイヤレス基地局およびセルを含んでよいことを理解されたい。さらに、所与のセルのサイズまたはカバレージエリアを拡張するために、中継ノードが展開されてよい。基地局110、112、114、118は、コアネットワークへのワイヤレスアクセスポイントを任意の数のモバイル装置に提供する。
【００１９】
図1は、基地局として機能するように構成され得る、クアッドコプターまたはドローン120をさらに含む。すなわち、いくつかの例では、セルは、必ずしも静止しているとは限らないことがあり、セルの地理的エリアは、クアッドコプター120などのモバイル基地局のロケーションに従って移動し得る。
【００２０】
一般に、基地局は、ネットワークのバックホール部分との通信用のバックホールインターフェースを含み得る。バックホールは、基地局とコアネットワークとの間のリンクを提供し得、いくつかの例では、バックホールは、それぞれの基地局同士の間の相互接続を提供し得る。コアネットワークは、無線アクセスネットワークにおいて使用される無線アクセス技術とは一般に無関係である、ワイヤレス通信システムの一部である。任意の好適なトランスポートネットワークを使用する、直接物理接続、仮想ネットワークなどの、様々なタイプのバックホールインターフェースが採用され得る。いくつかの基地局は、ワイヤレススペクトルがアクセスリンク(すなわち、UEとのワイヤレスリンク)とバックホールリンクの両方のために使用され得る、統合アクセスおよびバックホール(IAB: integrated access and backhaul)ノードとして構成され得る。この方式は、ワイヤレスセルフバックホーリングと呼ばれることがある。ワイヤレスセルフバックホーリングを使用することによって、新たな各基地局展開がそれ自体の配線接続されたバックホール接続を装備することを必要とするのではなく、基地局とUEとの間の通信のために利用されるワイヤレススペクトルがバックホール通信のために活用されてよく、極めて高密度なスモールセルネットワークの迅速かつ容易な展開を可能にする。
【００２１】
無線アクセスネットワーク100は、複数のモバイル装置のためのワイヤレス通信をサポートするように図示される。モバイル装置は、通常、第3世代パートナーシッププロジェクト(3GPP)によって公表された規格および仕様ではユーザ機器(UE)と呼ばれるが、当業者によって、移動局(MS)、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末(AT)、モバイル端末、ワイヤレス端末、リモート端末、ハンドセット、端末、ユーザエージェント、モバイルクライアント、クライアント、またはいくつかの他の好適な用語で呼ばれることもある。UEは、ネットワークサービスへのアクセスをユーザに提供する装置であってよい。
【００２２】
本文書の中では、「モバイル」装置は、必ずしも移動するための能力を有する必要があるとは限らず、静止していてよい。モバイル装置またはモバイルデバイスという用語は、多種多様なデバイスおよび技術を広く指す。たとえば、モバイル装置のいくつかの非限定的な例は、モバイル、セルラー(セル)フォン、スマートフォン、セッション開始プロトコル(SIP)フォン、ラップトップ、パーソナルコンピュータ(PC)、ノートブック、ネットブック、スマートブック、タブレット、携帯情報端末(PDA)、および、たとえば、「モノのインターネット」(IoT)に対応する、組込みシステムの広い列挙を含む。モバイル装置は、追加として、自動車または他の輸送車両、遠隔センサーまたは遠隔アクチュエータ、ロボットまたはロボティクスデバイス、衛星無線、全地球測位システム(GPS)デバイス、オブジェクトトラッキングデバイス、ドローン、マルチコプター、クワッドコプター、遠隔制御デバイス、アイウェア、装着型カメラ、仮想現実デバイス、スマートウォッチ、ヘルストラッカーまたはフィットネストラッカー、デジタルオーディオプレーヤ(たとえば、MP3プレーヤ)、カメラ、ゲーム機などのコンシューマデバイスおよび/または装着型デバイスであってよい。モバイル装置は、追加として、ホームオーディオ、ビデオ、および/またはマルチメディアデバイスなどのデジタルホームデバイスまたはスマートホームデバイス、器具、自動販売機、インテリジェント照明、ホームセキュリティシステム、スマートメーターなどであってよい。モバイル装置は、追加として、スマートエネルギーデバイス、セキュリティデバイス、ソーラーパネルまたはソーラーアレイ、電力(たとえば、スマートグリッド)、照明、水などを制御する都市インフラストラクチャデバイス、産業オートメーションおよび企業デバイス、ロジスティックスコントローラ、農業機器、軍事防御機器、車両、航空機、船舶、および兵器類などであってよい。またさらに、モバイル装置は、コネクティッド医療または遠隔医療サポート、すなわち、遠方における健康管理を提供し得る。テレヘルスデバイスは、テレヘルス監視デバイスおよびテレヘルス管理デバイスを含んでよく、その通信には、たとえば、クリティカルサービスデータのトランスポートに対する優先的アクセスおよび/またはクリティカルサービスデータのトランスポートに対する適切なQoSという観点から、他のタイプの情報を超える優遇措置または優先的アクセスが与えられてよい。
【００２３】
無線アクセスネットワーク100の中では、セルは、各セルの1つまたは複数のセクタと通信していてよいUEを含み得る。たとえば、UE122および124は、基地局110と通信していてよく、UE126および128は、基地局112と通信していてよく、UE130および132は、RRH116を経由して基地局114と通信していてよく、UE134は、低電力基地局118と通信していてよく、UE136は、モバイル基地局120と通信していてよい。ここで、各基地局110、112、114、118、および120は、それぞれのセル内のすべてのUEにコアネットワーク(図示せず)へのアクセスポイントを提供するように構成され得る。基地局(たとえば、基地局110)から1つまたは複数のUE(たとえば、UE122および124)への送信は、ダウンリンク(DL)送信と呼ばれることがあり、UE(たとえば、UE122)から基地局への送信は、アップリンク(UL)送信と呼ばれることがある。本開示のいくつかの態様によれば、ダウンリンクという用語は、スケジューリングエンティティ202から生じるポイントツーマルチポイント送信を指す場合がある。この方式についての別の説明方法では、ブロードキャストチャネル多重化という用語を使用することがある。本開示のさらなる態様によれば、アップリンクという用語は、スケジュールされたエンティティ204から生じるポイントツーポイント送信を指す場合がある。
【００２４】
いくつかの例では、モバイルネットワークノード(たとえば、クワッドコプター120)が、UEとして機能するように構成され得る。たとえば、クアッドコプター120は、基地局110と通信することによって、セル102内で動作し得る。本開示のいくつかの態様では、2つ以上のUE(たとえば、UE126および128)は、基地局(たとえば、基地局112)を通して、その通信を中継することなしに、ピアツーピア(P2P)またはサイドリンク信号127を使用して、互いに通信し得る。
【００２５】
無線アクセスネットワーク100において、UEのロケーションに依拠しない、UEが移動しながら通信するための能力は、モビリティと呼ばれる。UEと無線アクセスネットワークとの間の様々な物理チャネルは、一般に、モビリティ管理エンティティ(MME: mobility management entity)の制御下でセットアップ、保守、および解放される。本開示の様々な態様では、無線アクセスネットワーク100は、モビリティおよびハンドオーバ(すなわち、ある無線チャネルから別の無線チャネルへのUEの接続の移転)を可能にするために、DLベースのモビリティまたはULベースのモビリティを利用し得る。DLベースのモビリティのために構成されたネットワークでは、スケジューリングエンティティを用いた呼出しの間、または任意の他の時間において、UEは、そのサービングセルからの信号の様々なパラメータ、ならびに隣接セルの様々なパラメータを監視し得る。これらのパラメータの品質に応じて、UEは、隣接セルのうちの1つまたは複数との通信を保守し得る。この時間の間、あるセルから別のセルにUEが移動する場合、または隣接セルからの信号品質が所与の時間量にわたってサービングセルからの信号品質を上回る場合、UEは、サービングセルから隣接(ターゲット)セルへのハンドオフまたはハンドオーバに取りかかってよい。たとえば、UE124(車両として図示されるが、任意の好適な形態のUEが使用されてよい)は、そのサービングセル102に対応する地理的エリアから隣接セル106に対応する地理的エリアに移動することがある。隣接セル106からの信号強度または信号品質が、所与の時間量にわたってそのサービングセル102の信号強度または信号品質を上回るとき、UE124は、この状態を示す報告メッセージをそのサービング基地局110へ送信してよい。それに応答して、UE124は、ハンドオーバコマンドを受信し得、UEは、セル106へのハンドオーバを受けてよい。
【００２６】
ULベースのモビリティのために構成されたネットワークでは、各UEからのUL基準信号が、UEごとにサービングセルを選択するためにネットワークによって利用され得る。いくつかの例では、基地局110、112、および114/116は、統合同期信号(たとえば、統合1次同期信号(PSS)、統合2次同期信号(SSS)、および統合物理ブロードキャストチャネル(PBCH))をブロードキャストし得る。UE122、124、126、128、130、および132は、統合同期信号を受信し得、同期信号からキャリア周波数およびスロットタイミングを導出し得、タイミングの導出に応答してアップリンクパイロットまたは基準信号を送信し得る。UE(たとえば、UE124)によって送信されたアップリンクパイロット信号は、無線アクセスネットワーク100内の2つ以上のセル(たとえば、基地局110および114/116)によって同時に受信され得る。セルの各々は、パイロット信号の強度を測定し得、無線アクセスネットワーク(たとえば、基地局110および114/116ならびに/またはコアネットワーク内の中央ノードのうちの1つまたは複数)は、UE124のためのサービングセルを決定し得る。UE124が無線アクセスネットワーク100を通って移動するとき、ネットワークは、UE124によって送信されるアップリンクパイロット信号を監視し続けてよい。隣接セルによって測定されたパイロット信号の信号強度または信号品質が、サービングセルによって測定されたパイロット信号の信号強度または信号品質を上回るとき、ネットワーク100は、UE124に通知するかまたは通知せずに、UE124をサービングセルから隣接セルにハンドオーバしてよい。
【００２７】
基地局110、112、および114/116によって送信される同期信号は統合され得るが、同期信号は、特定のセルを識別し得るのではなく、同じ周波数上かつ/または同じタイミングで動作する複数のセルのゾーンを識別し得る。5Gネットワークまたは他の次世代通信ネットワークにおけるゾーンの使用は、アップリンクベースモビリティフレームワークを可能にし、UEとネットワークとの間で交換される必要があるモビリティメッセージの数が低減され得るのでUEとネットワークの両方の効率を改善する。
【００２８】
様々な実装形態では、無線アクセスネットワーク100におけるエアインターフェースは、認可スペクトル、無認可スペクトル、または共有スペクトルを利用してよい。認可スペクトルは、一般に、モバイルネットワーク事業者が政府規制機関からライセンスを購入することによって、スペクトルの一部分の独占的な使用を提供する。無認可スペクトルは、政府が許可するライセンスの必要なしに、スペクトルの一部分の共有された使用を提供する。一般に、無認可スペクトルにアクセスするために、いくつかの技術規則の遵守がやはり必要とされるが、一般に、いかなる事業者またはデバイスもアクセスできるようになり得る。共有スペクトルは、認可スペクトルと無認可スペクトルとの間にあってもよく、スペクトルにアクセスするために技術的な規則または制限が必要とされ得るが、スペクトルは依然として、複数の事業者および/または複数のRATによって共有され得る。たとえば、認可スペクトルの一部分に対するライセンスの保有者は、たとえば、アクセスを得るためにライセンシーにより決定された好適な条件とともに、認可された共有アクセス(LSA: licensed shared access)を提供して、そのスペクトルを他の当事者と共有し得る。
【００２９】
いくつかの例では、エアインターフェースへのアクセスがスケジュールされてもよく、スケジューリングエンティティ(たとえば、基地局)は、そのサービスエリアまたはセル内のいくつかのまたはすべてのデバイスおよび機器の間で通信のためのリソースを割り振る。本開示内で、以下でさらに論じるように、スケジューリングエンティティは、1つまたは複数のスケジュールされたエンティティのためのリソースをスケジュールすること、割り当てること、再構成すること、および解放することを担当し得る。すなわち、スケジュールされた通信の場合、UEまたはスケジュールされたエンティティは、スケジューリングエンティティによって割り振られたリソースを利用する。
【００３０】
基地局は、スケジューリングエンティティとして機能し得る唯一のエンティティではない。すなわち、いくつかの例では、UEが、1つまたは複数のスケジュールされたエンティティ(たとえば、1つまたは複数の他のUE)のためにリソースをスケジュールするスケジューリングエンティティとして機能し得る。他の例では、必ずしも基地局からのスケジューリングまたは制御情報に依拠することなく、サイドリンク信号がUE同士の間で使用され得る。たとえば、UE138は、UE140および142と通信するように図示される。いくつかの例では、UE138は、スケジューリングエンティティまたは1次サイドリンクデバイスとして機能しており、UE140および142は、スケジュールされたエンティティまたは非1次(たとえば、2次)サイドリンクデバイスとして機能し得る。さらに別の例では、UEは、デバイス間(D2D: device-to-device)ネットワーク、P2Pネットワーク、もしくは車両間(V2V: vehicle-to-vehicle)ネットワークにおいて、かつ/またはメッシュネットワークにおいて、スケジューリングエンティティとして機能し得る。メッシュネットワーク例では、UE140および142は、UE138と通信することに加えて、随意に互いに直接通信し得る。
【００３１】
したがって、時間周波数リソースへのスケジュールされたアクセスを伴い、セルラー構成、P2P構成、またはメッシュ構成を有するワイヤレス通信ネットワークにおいて、スケジューリングエンティティおよび1つまたは複数のスケジュールされたエンティティは、スケジュールされたリソースを利用して通信し得る。次に図2を参照すると、ブロック図200は、スケジューリングエンティティ202および複数のスケジュールされたエンティティ204(たとえば、204aおよび204b)を示す。ここで、スケジューリングエンティティ202は、基地局110、112、114、および/または118に対応し得る。追加の例では、スケジューリングエンティティ202は、UE138、クワッドコプター120、または無線アクセスネットワーク100の中の任意の他の好適なノードに対応し得る。同様に、様々な例では、スケジュールされたエンティティ204は、UE122、124、126、128、130、132、134、136、138、140、および142、または無線アクセスネットワーク100の中の任意の他の好適なノードに対応し得る。
【００３２】
図2に示すように、スケジューリングエンティティ202は、トラフィック206および/または制御208を1つまたは複数のスケジュールされたエンティティ204へ送信またはブロードキャストし得る(トラフィックはダウンリンクトラフィックと呼ばれることがある)。概して、スケジューリングエンティティ202は、ダウンリンク送信、およびいくつかの例では、1つまたは複数のスケジュールされたエンティティからスケジューリングエンティティ202へのアップリンクトラフィック210および/またはアップリンク制御212を含む、ワイヤレス通信ネットワーク内のトラフィックをスケジュールすることを担当するノードまたはデバイスである。概して、スケジュールされたエンティティ204は、限定はしないが、スケジューリング情報(たとえば、許可)、同期情報もしくはタイミング情報、または他の制御情報を含む制御情報をスケジューリングエンティティ202などのワイヤレス通信ネットワーク内の別のエンティティから受信する、ノードまたはデバイスである。
【００３３】
いくつかの例では、第1のスケジュールされたエンティティ204aや第2のスケジュールされたエンティティ204bなどのスケジュールされたエンティティは、直接D2D通信のためにサイドリンク信号を利用し得る。サイドリンク信号は、サイドリンクトラフィック214およびサイドリンク制御216を含み得る。サイドリンク制御情報216は、いくつかの例では、送信要求(RTS: request-to-send)、ソース送信信号(STS: source transmit signal)、および/または方向選択信号(DSS: direction selection signal)など、要求信号を含み得る。要求信号は、スケジュールされたエンティティ204がサイドリンクチャネルをサイドリンク信号に利用可能な状態に保つための持続時間を要求することを実現し得る。サイドリンク制御情報216は、送信可(CTS: clear-to-send)および/または宛先受信信号(DRS: destination receive signal)など、応答信号をさらに含み得る。応答信号は、スケジュールされたエンティティ204が、たとえば、要求される持続時間に関して、サイドリンクチャネルの利用可能性を示すことを実現し得る。要求信号および応答信号の交換(たとえば、ハンドシェイク)は、異なるスケジュールされたエンティティが、サイドリンクトラフィック情報214の通信に先立ってサイドリンクチャネルの利用可能性を折衝するためのサイドリンク通信を実行することを可能にし得る。
【００３４】
無線アクセスネットワーク100におけるエアインターフェースは、1つまたは複数の複信アルゴリズムを利用し得る。複信とは、両方の端点が両方向で互いに通信できるポイントツーポイント通信リンクを指す。全二重とは、両方の端点が互いに同時に通信できることを意味する。半二重とは、一度に一方の端点しか情報を他方へ送ることができないことを意味する。ワイヤレスリンクでは、全二重チャネルは、一般に、送信機と受信機との物理的な分離、および好適な干渉消去技術に依拠する。周波数分割複信(FDD)または時分割複信(TDD)を利用することによって、しばしば、ワイヤレスリンクに対して全二重エミュレーションが実装される。FDDでは、異なる方向での送信は、異なるキャリア周波数において動作する。TDDでは、所与のチャネル上の異なる方向での送信は、時分割多重を使用して互いに分離される。すなわち、いくつかの時間においてチャネルは一方の方向での送信のために専用であり、他の時間においてチャネルは他方の方向での送信のために専用であり、ここで、方向は、極めて急速に、たとえばスロット当り数回、変化し得る。
【００３５】
無線アクセスネットワーク100を介した送信は、一般に、適切な誤り訂正ブロック符号を利用することができる。典型的なブロック符号では、情報メッセージまたは情報シーケンスが符号ブロック(CB)に分割され、送信デバイスにおけるエンコーダ(たとえば、コーデック)が、次いで、数学的に冗長性を情報メッセージに加える。符号化された情報メッセージにおけるこの冗長性の活用は、メッセージの信頼性を改善することができ、雑音に起因して発生することがある任意のビット誤りに対する訂正を可能にする。誤り訂正符号のいくつかの例は、ハミング符号、Bose-Chaudhuri-Hocquenghem(BCH)符号、ターボ符号、低密度パリティ検査(LDPC)符号、およびポーラ符号を含む。スケジューリングエンティティ202およびスケジュールされたエンティティ204の様々な実装形態は、ワイヤレス通信用のこれらの誤り訂正符号のうちのいずれか1つまたは複数を利用するための、好適なハードウェアおよび能力(たとえば、エンコーダ、デコーダ、および/またはコーデック)を含み得る。
【００３６】
無線アクセスネットワーク100におけるエアインターフェースは、様々なデバイスの同時通信を可能にするための、1つまたは複数の多重化および多元接続アルゴリズムを利用し得る。たとえば、UE122および124から基地局110へのアップリンク(UL)送信すなわち逆方向リンク送信のための多元接続は、時分割多元接続(TDMA)、符号分割多元接続(CDMA)、周波数分割多元接続(FDMA)、直交周波数分割多元接続(OFDMA)、離散フーリエ変換(DFT)拡散OFDMAまたはシングルキャリアFDMA(DFT-s-OFDMAまたはSC-FDMA)、スパース符号多元接続(SCMA)、リソース拡散多元接続(RSMA)、または他の好適な多元接続方式を利用して行われてよい。さらに、基地局110からUE122および124へのダウンリンク(DL)送信すなわち順方向リンク送信を多重化することは、時分割多重(TDM)、符号分割多重(CDM)、周波数分割多重(FDM)、直交周波数分割多重(OFDM)、スパース符号多重(SCM)、または他の好適な多重化方式を利用して行われてよい。
【００３７】
図3は、TDDキャリアを利用するアクセスネットワーク内のスロットの例を示す。通信は、時間領域内のチャネルをフレームに分割することによって編成可能であり、フレームはさらにスロットに分割される。本開示の一態様によれば、スロットは、本明細書でULセントリックスロット構造302およびDLセントリックスロット構造304と呼ぶ、少なくとも2つの一般的な形態をとり得る。ここで、DLセントリックスロットとは、そのスケジュールされた時間の大部分がダウンリンク方向での通信のために使用されるスロット(たとえば、DLバースト306として図3に示す)であり、ULセントリックスロットとは、そのスケジュールされた時間の大部分がアップリンク方向での通信のために使用されるスロット(たとえば、ULバースト308として図3に示す)である。
【００３８】
典型的なセル配置では、ダウンリンクトラフィックとアップリンクトラフィックとの間に非対称性があり得る。概して、ネットワークは、より多量のダウンリンクトラフィックと通信し、したがって、より多数のDLセントリックスロットがスケジュールされ得る。さらに、この不均衡が予測可能であり得る間でさえも、ULセントリックスロットとDLセントリックスロットとの間の実際の比率は予測可能でないことがあり、経時的に変化することがある。図3に示す例では、その比率は、いくつかのサイクルわたる1つのULセントリックスロットに対して3つのDLセントリックスロットである。DLセントリックスロットのULセントリックスロットに対する比率は、各アプリケーションに関して、かつ/またはネットワークの要件もしくは条件に基づいて選択され得ること、および多種多様な比率が実装され得ることを諒解されよう。
【００３９】
不均衡とその正確な測定の予測不可能性とのこの組合せは、従来のTDDフレーム/スロット構造において問題を引き起こすことがある。具体的には、UEまたはスケジュールされたエンティティが、アップリンクを介して送信しようと望むデータを有する場合、UEは、アップリンク送信機会を待たなければならない。このスロット構造を用いると、そのようなアップリンク送信機会が発生し得る時間は変化することがあり、予測不可能であり得る。多くの場合、その時間はかなり長いことがあり、著しいレイテンシをもたらす。UEがアップリンクを介して送信しようと望む情報が、多くの場合、時間敏感またはミッションクリティカルであり得る制御フィードバックであるとき、このレイテンシは特に問題となり得る。
【００４０】
非対称トラフィックに関連する予測不可能なレイテンシは、すべてのスロットにおいて相応のアップリンク送信機会を与えるスロット構造を利用することによって、少なくとも部分的に緩和され得る。したがって、本開示のいくつかの態様では、TDDスロットは、自己完結型スロットとして構造化され得る。
【００４１】
図4は、自己完結型スロット400および410の例示的な構造を示す。概して、自己完結型スロットとは、スケジューリング、データ送信、およびデータ確認応答(フィードバック)が、単一の自己完結型の単位すなわちスロットに一緒にグループ化されるスロットであり、いかなる他のスロットにも依拠しなくてよい。DLセントリックスロット400の例では、DLデータ部分404の中のデータのすべては、DL制御領域402の中のスケジューリング情報またはスケジューリング許可を利用してスケジュールされてよく、さらに、データ部分404の中のデータのすべては、ACK部分408(UL制御)の中で確認応答(または、否定応答)され得る。同様に、アップリンクセントリックスロット410の場合、データ部分416の中のデータのすべては、DL制御領域412の中のスケジューリング情報またはスケジューリング許可を利用してスケジュールされてよい。
【００４２】
多元接続ネットワークのコンテキストでは、チャネルリソースが一般にスケジュールされ、各エンティティは時間的に同期している。すなわち、ネットワークを利用する各ノードは、リソースのその使用を協調させ、その結果、フレームの割り振られた部分の中でのみ送信が行われ、割り振られた各部分の時間は、異なるノードまたはネットワークデバイスの間で同期される。1つのノードがスケジューリングエンティティとして働き、1つまたは複数のノードがスケジュールされたエンティティであってよい。スケジューリングエンティティは、基地局もしくはアクセスポイント、またはD2Dネットワーク、P2Pネットワーク、および/またはメッシュネットワークにおけるUEであってよい。スケジューリングエンティティは、キャリア上のリソースを管理し、セルラーネットワークにおける1つまたは複数のUEなどのスケジュールされたエンティティを含む、チャネルまたはキャリアの他のユーザにリソースを割り当てる。
【００４３】
各スロット400、410は、送信(Tx)部分と受信(Rx)部分とに分割される。DLセントリックスロット400において、スケジューリングエンティティは、最初に、DL制御領域402の中で制御情報を送信するための機会を有し、次いで、DLデータ部分404の中でデータを送信するための機会を有する。Tx部分402および404は、この場合、DLバーストを搬送する。ガード期間(GP: guard period)部分406に続いて、スケジューリングエンティティは、キャリアを使用して他のエンティティから、確認応答された(ACK)/確認応答されなかった(NACK)信号、すなわちフィードバックをACK/NACK部分408の中で受信するための機会を有する。ACK/NACK部分408は、ULバーストを搬送する。より多くのリソースがダウンリンク方向の送信(たとえば、スケジューリングエンティティからの送信)のために割り振られるので、このフレーム構造はダウンリンクセントリックである。
【００４４】
一例では、DL制御領域402は、物理ダウンリンク制御チャネル(PDCCH: physical downlink control channel)を送信するために使用され得、DLデータ部分404は、DLデータペイロードまたはユーザデータを送信するために使用され得る。GP部分406に続いて、スケジューリングエンティティは、データペイロードが首尾よく受信されたかどうかを示すためのACK/NACK部分408の間に、スケジュールされたエンティティからACK信号(または、NACK信号)を受信し得る。GP部分406は、ULタイミングおよびDLタイミングの変動性に適応するようにスケジュールされ得る。たとえば、RFアンテナおよび/または回路構成の方向切替え(たとえば、DLからULへの)によるレイテンシならびに伝送経路レイテンシが、DLタイミングに合致するようにUL上でスケジュールされたエンティティに早く送信させることがある。そのような早期の送信は、スケジューリングエンティティから受信されたシンボルと干渉し得る。したがって、GP部分406により、DLデータ部分404の後の時間量が干渉を防止または低減することが可能になり得、ここで、GP部分406は、オーバージエア(OTA: over-the-air)送信時間に対してスケジューリングエンティティがそのRFアンテナ/回路構成の方向を切り替えるための適切な時間量、およびスケジュールされたエンティティによるACK処理のための時間を提供し得る。したがって、GP部分406は、スケジュールされたエンティティがそのRFアンテナ/回路構成の方向を(たとえば、DLからULに)切り替えるための、データペイロードを処理するための、かつオーバージエア(OTA)送信時間のための、適切な時間量を提供し得る。GP部分406の持続時間は、シンボル期間に換算して構成され得る。たとえば、GP部分406は、1つのシンボル期間または複数のシンボル期間としての持続時間を有してよい。より多くのリソースがダウンリンク方向の送信(たとえば、スケジューリングエンティティからの送信)のために割り振られるので、このフレーム構造はダウンリンクセントリックである。
【００４５】
ULセントリックスロット410では、スケジュールされたエンティティは最初に、DL制御領域412において制御情報を受信する機会を有する。GP部分414に続いて、ULデータ部分416および/またはULバースト420を含めて、UL送信期間418がスケジュールされ得る。スケジュールされたエンティティは、ULデータ部分416の中でデータを送信するための機会を有する。スケジュールされたエンティティは、その後、ULバースト420の中でACK/NACK信号を送信する機会を有し得る。より多くのリソースがアップリンク方向における送信(たとえば、スケジュールされたエンティティからの送信)のために割り振られるので、このフレーム構造はアップリンクセントリックである。本開示のいくつかの態様では、GP部分は随意であってよい。
【００４６】
本開示のいくつかの態様では、特定の制御情報がその独自の物理チャネルの中にプルされるかまたはグループ化され得る。一例では、LTEネットワークなどにおいてDL制御情報(DCI)内で搬送される制御情報は、物理ダウンリンク再送信インジケータチャネル(PDRICH: physical downlink retransmission indicator channel)の中にプルされるかまたはグループ化され得る。PDRICHは、スロットの制御サブバンドまたは制御領域内で搬送される情報のサブセットを含み得る。たとえば、リソース割振りがスロットの中で最初に提供され得、後でスロットの中で、再送信インジケータ(RI)がPDRICHの中で提供され得るようにスロットの中のDCIが分解される場合、スケジューリングエンティティは、再送信を実行するかどうかを判定するための追加の時間を有する。PDRICHのロケーションを含めて、適切なスロット構造により、シングルインターレース送信が可能にされ得る。
【００４７】
図5は、DLセントリックスロット502およびULセントリックスロット504の各々の中に出現し得る共通DLバーストおよび共通ULバーストのいくつかの例を示す図である。図示する例では、各スロットの冒頭に共通DLバースト506が生じ、各スロットの末尾に共通ULバースト508が生じる。しかしながら、このことは必ずしもそうであるとは限らず、本開示の範囲の中では、そのような共通ULバーストおよび共通DLバーストは、各それぞれのスロット内のどこかに出現してよい。たとえば、いくつかのネットワーキング技術では、スロットは、2つ以上のスロットを含み、共通ULバーストおよび共通DLバーストは各スロットの中で提供され得る。
【００４８】
本開示のいくつかの態様では、(ULセントリックスロットであろうとDLセントリックスロットであろうと)任意の所与のスロットの中のすべての共通DLバースト506は、同じ構造を有してよく、かつ/または(ULセントリックスロットであろうとまたはDLセントリックスロットであろうと)任意の所与のスロットの中のすべての共通ULバースト508は、同じ構造を有してよい。これらの共通バーストは任意の好適な情報を搬送し得るが、いくつかの例では、限定はしないが、ULもしくはDLのいずれか(または、その両方)のためのスケジューリング情報、またはマルチインターレースもしくは非自己完結型スロットにおいて、物理レイヤ確認応答(ACK)送信を含む、スケジューリングエンティティによって送信される制御情報を搬送するために、共通DLバーストが利用され得る。たとえば、共通DLバースト506は、図4のDL制御領域402および412を含み得る。さらに、限定はしないが、サウンディング基準信号(SRS: sounding reference signal)、物理レイヤACKまたはNACK、スケジューリング要求(SR)、チャネル品質情報(CQI: channel quality information)などを含む、UEまたはスケジュールされたエンティティによって送信されるUL制御情報を搬送するために、共通ULバーストが利用され得る。
【００４９】
上記で説明した自己完結型スロットと同様に、これらの共通ULバーストおよび共通DLバーストを利用することによって、制御情報やフィードバックなどのミッションクリティカルパケットに対して、たとえば、単一のスロットの持続時間までレイテンシが短縮され得る。しかしながら、本開示の様々な態様によれば、このレイテンシまたは遅延が制御される可能性により、異なる遅延またはレイテンシが与えられることが可能になる。すなわち、すべてのスロットの中での共通DLバースト506および共通ULバースト508の存在によって、スケジュールされたエンティティおよびスケジューリングエンティティは、これらの共通バースト上で搬送される制御情報を構成可能な遅延を伴って送ることを可能にされ得、そうした遅延は、UL/DL比または現在(DLセントリックまたはULセントリックのいずれかの)チャネルを占有している特定のスロットの性質とは無関係となり得る。さらに、本開示のさらなる態様では、異なる遅延を伴うUEまたはスケジュールされたエンティティは、チャネル上に多重化され得、依然としてそれらのそれぞれの遅延を介した制御を維持しながらこれらのリソースを共有し得る。
【００５０】
いくつかの例では、DLセントリックスロット502およびULセントリックスロット504(図5参照)の各々の中の共通DLバーストおよび共通ULバーストを使用して、少なくとも2つのタイプの5G NR UL制御チャネル送信をサポートすることができる。図6は、複数のスロット610a〜610eがDLセントリックスロット610a、610b、610c、610e、およびULセントリックスロット610dを含む送信600を示す。複数のスロット610a〜610eは2つ以上のスロットにまたがってよい。図示される複数のスロット610a〜610eは、繰り返して送信されてよく、かつ/またはスロットのより大きなパターンまたは構成の一部であってよい。一例では、DLセントリックスロット610aは、1つまたは複数のDLバースト602と短持続時間(short-duration)ULバースト604とを含む。別の例では、ULセントリックスロット610dは、短いDLバースト606と長持続時間(long-duration)ULバースト608とを含む。5G NR UL制御チャネル送信は、DLセントリックスロット610aの中で送信される短持続時間ULバースト604および/またはULセントリックスロット610dの中の長持続時間ULバースト608によってサポートされ得る。
【００５１】
多くの例では、UL制御チャネルのうちのいくつかまたはすべては、短持続時間ULバースト604の中で送信され得る。場合によっては、UL制御チャネルは、スロット610a、610b、610c、610eの最後の1つまたは複数のULシンボルの中で送信され得る。UL制御チャネルは、カバレージを改善するために、かつ/またはデコーダにおけるエネルギー増大を実現するために、複数のULシンボルを介して長持続時間ULバースト608の中で送信されてもよい。概して、短持続時間ULバースト604は、長持続時間ULバースト608よりも頻繁に構成される可能性が高く、UL制御チャネル送信のための短持続時間ULバースト604の使用は、基地局または他のスケジューリングエンティティにより速いフィードバックを提供することができる。場合によっては、UL制御チャネル送信のための長持続時間ULバースト608の使用は、より長い送信時間を提供することができ、これは、より大量のフィードバック情報を送信するために、かつ/またはUEに影響を及ぼし得るリンクバジェット制限に対処するために重要であり得る。
【００５２】
本明細書で開示するいくつかの態様によれば、ネットワークは、リンクに関連する要因、パラメータ、およびアプリケーションニーズに基づいて、UL制御チャネル送信のために短持続時間ULバースト604と長持続時間ULバースト608のどちらかを選択することができる。短持続時間ULバースト604および長持続時間ULバースト608からの選択は、フィードバック遅延を判定し得るか、またはフィードバック遅延に影響を及ぼし得る。ネットワークは、UL制御チャネル送信のために短持続時間ULバースト604と長持続時間ULバースト608のどちらかを選択することによってフィードバック遅延を構成し得る。
【００５３】
一例では、ネットワークは、UE電力ヘッドルームに基づいて、UL制御チャネル送信のための短持続時間ULバーストと長持続時間ULバーストのどちらかを選択することができる。UEは、UL制御チャネルを送信するために利用可能な電力を判定し得る電力バジェット内で動作するように構成され得る。UEは、地理的に近接した基地局に対するよりも地理的に遠い基地局に送信するためにより多くの電力を使用することができる。UL制御チャネル送信のために利用可能な電力は、利用可能な電力ヘッドルームまたは利用可能な電力限界によって制限され得る。電力ヘッドルーム/限界は、バジェット電力と他の送信のために使用される電力との間の差異として定義され得る。電力ヘッドルーム/限界は、UL制御チャネル送信のために利用可能な電力を示し得る。たとえば、UEが基地局から遠く離れているとき、電力ヘッドルームは小さくてよいか、またはゼロであってさえよい。UEがピークバジェット電力ですでに送信しているとき、電力ヘッドルームはゼロであってよい。他方で、UEが基地局に近接して位置する場合、電力ヘッドルームは比較的大きくてよい。UEは、基地局に電力ヘッドルームを連続的にまたは絶えず報告することができる。ネットワークは、報告されたUE電力ヘッドルームに基づいて、UL制御チャネル送信のために短持続時間ULバーストと長持続時間ULバーストのどちらかを選択することができる。
【００５４】
図7は、報告されたUE電力ヘッドルームに基づいて構成され得るUL制御チャネル送信スケジュールの例700、720を示す。第1の例700では、ネットワークは、UEが短持続時間ULバースト704の中でUL制御チャネルを送信するために十分なヘッドルームを有することを認識している。この例700では、ネットワークは、同じスロット内の短持続時間ULバースト704の中のDLバースト702に対応するULフィードバック710を提供するようにUEを構成し得る。
【００５５】
第2の例720では、ネットワークは、UEが短持続時間UL制御バースト724の中でUL制御チャネルを確実に送信するために不十分なヘッドルームを有することを認識し得る。この例720では、ネットワークは、長持続時間UL制御バースト728の中で1つまたは複数のDLバースト722に対応するULフィードバック730、732、734を提供するようにUEを構成し得る。長持続時間UL制御バースト728は異なるスロットの中で提供され得る。基地局は、長持続時間UL制御バースト728の中で長持続時間UL制御バースト728に先行してDLバーストに関するULフィードバック730、732、734のうちのいくつかまたはすべてを送信するようにUEを構成し得る。
【００５６】
ULフィードバック730、732、734は、様々なアップリンク制御情報(UCI: Uplink Control Information)フィールドを含み得る。場合によっては、UEは、長持続時間UL制御バースト728の中で各ULフィードバック730、732、734に関するUCIフィールドのうちのいくつかまたはすべてを送信するように構成され得る。一例では、UEは、短持続時間UL制御バースト724の中でACKビットを送信するように構成され得るが、他のUCIフィールドは長持続時間UL制御バースト728の中で送信される。
【００５７】
ネットワークは、UEに対してスケジュールされたUL制御チャネル送信に基づいてUEによって使用される物理リソースを構成し得る。たとえば、基地局が短持続時間UL制御バースト724および/または長持続時間UL制御バースト728を使用するようにUEを構成しているとき、基地局は、物理リソースブロック(PRB)として識別され得る特定の物理リソースを使用するようにUEを構成し得る。基地局は、特定のPRBを使用するようにUEを半静的にまたは動的に構成することによって、物理リソースを明示的に識別することができる。一例では、基地局は、RRCシグナリングを通してUEにおけるPRB使用を半静的に構成し得る。別の例では、基地局は、PDCCH内で、または別のダウンリンク制御チャネル内で送信されるダウンリンク制御情報(DCI)を通してUEにおけるPRB使用を動的に構成し得る。
【００５８】
場合によっては、UEは、UCIに対するPRBの割振りを暗示的に知っている場合がある。たとえば、UEは、PDCCHのロケーションおよび/またはPDSCHのロケーションを使用して、UCIに対するPRBを算出することができる。UEは、短持続時間UL制御バースト724の中および長持続時間UL制御バースト728の中でUCIに対して使用されるPRBを位置特定するために異なるマッピング式を使用することができる。
【００５９】
いくつかの態様によれば、基地局は、長持続時間UL制御バースト728に関して構成される電力制御とは異なる、短持続時間UL制御バースト724に関する電力制御でUEを構成し得る。すなわち、長持続時間UL制御バースト728の中でフィードバックを送信するときUEによって使用される電力設定は、短持続時間UL制御バースト724の中で送信するためにUEによって使用される電力設定とは異なり得る。基地局は、短持続時間UL制御バースト724の中で利用可能な時間期間よりも長い長持続時間UL制御バースト728の中の時間期間にわたって電力をアグリゲートすることができる。一例では、UEは、短持続時間UL制御バースト724と長持続時間UL制御バースト728との間の動作点に固定電力オフセットを加えることができる。閉ループおよび/または開ループの電力制御方式に対して電力制御差異が構成され得る。
【００６０】
いくつかの態様によれば、ネットワークは、UL干渉および/または負荷に基づいて、UL制御チャネル送信のために短持続時間UL制御バースト724と長持続時間UL制御バースト728のどちらかを選択することができる。
【００６１】
UEが報告する電力ヘッドルームの考慮事項に加えて、ネットワークは、UL送信において測定または検出された干渉に基づいて、UEによるフィードバックの送信を構成し得る。基地局は、一方のチャネルが他方のチャネルよりの多くの干渉を受け得るとき、短持続時間UL制御バースト724から長持続時間UL制御バースト728に、またはその逆にULフィードバック送信を移動させるようにUEを構成し得る。干渉は、たとえば、他の近くのセルまたはUEに起因し得る。
【００６２】
一例では、干渉は、基地局および/またはUEの受信アンテナにおける信号対干渉雑音比(SINR)を測定することによって判定または定量化され得る。基地局は、他の基地局から干渉測定を受信することもできる。SINR測定は、SRSまたはUEによって送信された他のパイロット信号を使用して取得され得る。基地局は、チャネル推定を提供する基準信号を送信することができる。UEは、基準信号を使用してチャネル品質を測定することができ、CQI値およびRI値を基地局にフィードバックすることができる。
【００６３】
場合によっては、ネットワークは、ネットワーク負荷に基づいてUEによるフィードバックの送信を構成し得る。たとえば、ネットワークが負荷を受け、制御チャネル容量が短持続時間UL制御バースト724において限定されるとき、基地局は、短持続時間UL制御バースト724から長持続時間UL制御バースト728にULフィードバック送信を移動させるようにUEを構成し得る。
【００６４】
図8は、利用可能なUE処理電力に基づいてスケジュールされ得るUL制御チャネル送信の例800、820を示す。これらの例800、820では、短持続時間UL制御バースト804、824は、長持続時間DLバースト802、822を搬送するすべてのスロットの中で利用可能になるように構成される。第1の例800では、UEは、長持続時間DLバースト802の中でスケジュールされたパケットを迅速に復号するために十分な処理能力を有し、フィードバック810として確認応答を直ちに送ることが可能であり得る。たとえば、フィードバック810は、同じスロット内の短持続時間UL制御バースト804の中で送信され得る。この第1の例800では、ULフィードバック遅延はゼロスロットに対して(すなわち、同じスロット内で送信されるように)構成され得る。第2の例820では、UEは、長持続時間DLバースト822の中でスケジュールされたパケットを迅速に復号するために十分な処理能力を有さない可能性があり、かつ/または短持続時間UL制御バースト824の中で確認応答を速やかに送ることが可能でない場合がある。この第2の例820では、UEは、K個のスロットの遅延の後でフィードバック830を送信することができ、ここで、K>0である。図示される第2の例820では、K=1個のスロット遅延である。スロット遅延は、使用されるべき短持続時間UL制御バースト826または長持続時間UL制御バースト828を示し得る。
【００６５】
場合によっては、短いアップリンク制御送信機会はスロットごとに提供されない。一例では、UEに対してDLスロットアグリゲーションが構成され得る。別の例では、ミリメートル波実装が必要とされる場合があり、基地局は、UL信号を首尾よく受信して復号するために、特定の個々のUEの方向にエネルギーを導くためにビームフォーミングを使用する必要があり得る。そのような例では、ULフィードバックの機会は、スロットごとに提供されない場合があり、ネットワークは、UL制御バーストの利用可能性に基づいて、ULフィードバックを送信するようにUEをスケジュールすることができる。
【００６６】
図9は、UL制御バーストの利用可能性に基づくULフィードバックスケジューリングの例900、940を示す。多くの事例では、フィードバック遅延はすべてのパケットに対して固定されない。第1の例900では、基地局は、各DLスロット902、904、906に対してフィードバック遅延を明示的に構成し得る。基地局は、DL制御情報912、914、916を使用して、スロットに対してフィードバック922、924、926をいつ送ることができるかをUEに明示的に通知することができる。基地局は、各スロット902、904、906の冒頭に送信されるDL制御情報912、914、916の中で各スロット902、904、906に対するフィードバック遅延を明示的に構成し得る。第1の例900では、基地局は、DL制御情報912を使用して、かつ次の短持続時間UL制御バースト908のスケジューリングに基づいて、第1のスロット902に適用可能な2スロット遅延を構成する。DL制御情報914および916をそれぞれ構成することによって、1スロット遅延および0スロット遅延に対して、後続のスロットに対するフィードバック924、926をそれぞれスケジュールすることができる。
【００６７】
第2の例940では、各スロットに対するフィードバック遅延はUEに暗示的に利用可能にされ得る。それに関するフィードバックがアグリゲートされることになるDLスロットのグループの冒頭において、ネットワークは、次の短持続時間UL制御バースト944のタイミングについてUEに通知することができる。場合によっては、基地局は、第1のDLスロット942の冒頭において送信されるDL制御情報952の中の短持続時間UL制御バースト944を識別することができる。各DLスロットに対して、UEは、短持続時間UL制御バースト944に対するスロットのスケジューリングに基づいて、対応するDLスロットに関連するフィードバック946、948、950を送信するために遅延を判定することができる。
【００６８】
図10は、処理システム1014を採用するスケジューリングエンティティ1000のためのハードウェア実装形態の一例を示す簡略ブロック図である。たとえば、スケジューリングエンティティ1000は、図1および/または図2のうちのいずれか1つまたは複数に示すようなユーザ機器(UE)であり得る。別の例では、スケジューリングエンティティ1000は、図1および/または図2のうちのいずれか1つまたは複数に示すような基地局であり得る。
【００６９】
スケジューリングエンティティ1000は、1つまたは複数のプロセッサ1004を含む処理システム1014を用いて実装され得る。プロセッサ1004の例は、マイクロプロセッサ、マイクロコントローラ、デジタル信号プロセッサ(DSP)、フィールドプログラマブルゲートアレイ(FPGA)、プログラマブル論理デバイス(PLD)、ステートマシン、ゲート論理、個別ハードウェア回路、および本開示全体にわたって説明する様々な機能を実行するように構成された他の好適なハードウェアを含む。様々な例では、スケジューリングエンティティ1000は、本明細書で説明する機能およびプロセスのうちのいずれか1つまたは複数を実行するように構成され得る。すなわち、スケジューリングエンティティ1000内で利用されるような、プロセッサ1004は、以下で説明し、図6〜図9に示した、スロット構造を利用するプロセスおよび機能のうちのいずれか1つまたは複数を実装するために使用され得る。
【００７０】
本開示のいくつかの態様では、プロセッサ1004は、図6〜図9で説明した通信機能および通信プロセスを実行するように構成され得るアップリンク制御フィードバック構成ブロック1018を含み得る。一例では、アップリンク制御フィードバック構成ブロック1018は、スケジュールされたエンティティ電力ヘッドルーム判定ブロック1020と、スケジュールされたエンティティ処理能力判定ブロック1022と、スロットアグリゲーション管理ブロック1024とを含み得る。
【００７１】
スケジュールされたエンティティ電力ヘッドルーム判定ブロック1020、スケジュールされたエンティティ処理能力判定ブロック1022、およびスロットアグリゲーション管理ブロック1024を使用して、フィードバックのためにスケジュールされたエンティティによって使用されるべきUL制御バーストのタイプを判定することができる。
【００７２】
この例において、処理システム1014は、バス1002によって全体的に表されるバスアーキテクチャを用いて実装され得る。バス1002は、処理システム1014の特定の適用例および全体的な設計制約に応じて、任意の数の相互接続バスおよびブリッジを含んでもよい。バス1002は、1つまたは複数のプロセッサ(プロセッサ1004によって全体的に表される)、メモリ1005、およびコンピュータ可読媒体(コンピュータ可読媒体1006によって全体的に表される)を含む、様々な回路を一緒に通信可能に結合する。バス1002はまた、タイミングソース、周辺装置、電圧調整器、および電力管理回路などの、様々な他の回路をリンクし得、それらは当技術分野でよく知られており、したがって、これ以上説明しない。バスインターフェース1008は、バス1002とトランシーバ1010との間にインターフェースを提供する。トランシーバ1010は、伝送媒体を介して様々な他の装置と通信するための通信インターフェースまたは手段を提供する。トランシーバは、タイマー、フレーム、エンコーダなどを含み得るか、またはそれらと対話し得る送信機制御モジュール1026を使用して動作および/制御され得る。装置の性質に応じて、ユーザインターフェース1012(たとえば、キーパッド、ディスプレイ、スピーカー、マイクロフォン、ジョイスティック)がまた、設けられてもよい。
【００７３】
プロセッサ1004は、バス1002を管理すること、およびコンピュータ可読媒体1006上に記憶されたソフトウェアの実行を含む一般処理を担当する。ソフトウェアは、プロセッサ1004によって実行されると、任意の特定の装置のために、以下で説明する様々な機能を処理システム1014に実行させる。コンピュータ可読媒体1006およびメモリ1005はまた、ソフトウェアを実行するときにプロセッサ1004によって操作されるデータを記憶するために使用され得る。
【００７４】
コンピュータ可読媒体1006は、図6〜図9に関して説明した様々な通信機能および通信プロセスを実行するためにプロセッサ1004によって実行され得るアップリンク制御フィードバック構成コード1030を備えて記憶され得る。たとえば、プロセッサ1004は、アップリンク制御フィードバック構成コード1030を実行するとき、図6〜図9に示したように1つまたは複数のスケジュールされたエンティティと通信するために複数のスロット構造1032を利用することができる。
【００７５】
処理システムの中の1つまたは複数のプロセッサ1004は、ソフトウェアを実行し得る。ソフトウェアは、ソフトウェア、ファームウェア、ミドルウェア、マイクロコード、ハードウェア記述言語と呼ばれるか、または他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するものと広く解釈されなければならない。ソフトウェアは、コンピュータ可読媒体1006上に存在し得る。コンピュータ可読媒体1006は、非一時的コンピュータ可読媒体であってよい。非一時的コンピュータ可読媒体は、例として、磁気記憶デバイス(たとえば、ハードディスク、フロッピーディスク、磁気ストリップ)、光ディスク(たとえば、コンパクトディスク(CD)またはデジタル多用途ディスク(DVD))、スマートカード、フラッシュメモリデバイス(たとえば、カード、スティック、またはキードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、リムーバルディスク、ならびにコンピュータによってアクセスされ得るとともに読み取られ得るソフトウェアおよび/または命令を記憶するための任意の他の好適な媒体を含む。コンピュータ可読媒体はまた、例として、搬送波、伝送線路、ならびにコンピュータによってアクセスされ得るとともに読み取られ得るソフトウェアおよび/または命令を送信するための任意の他の好適な媒体を含んでよい。コンピュータ可読媒体1006は、処理システム1014内に存在するか、処理システム1014の外部にあるか、または処理システム1014およびネットワークストレージを含む複数のエンティティにわたって分散される場合がある。コンピュータ可読媒体1006は、コンピュータプログラム製品の中で具現化されてよい。例として、コンピュータプログラム製品は、パッケージング材料にコンピュータ可読媒体を含めてよい。特定の適用例および全体的なシステムに課される全体的な設計制約に応じて、本開
示全体にわたって提示される説明する機能がどのように最良に実施されるのかを、当業者は認識されよう。
【００７６】
1つの構成では、スケジューリングエンティティ1000は、スケジュールされたエンティティに送信されるべきスケジューリング情報を生成するための手段1018、1020、1022、1024を有する。スケジューリング情報は、スケジュールされたエンティティによるアップリンク制御情報の送信をスケジュールする情報を含み得る。スケジューリングエンティティ1000は、情報をスケジュールされたエンティティにワイヤレスで送信するための手段1004、1010、1026を有し得る。情報は複数のスロットを含むフレームの中で送信され得る。複数のスロットは、長いダウンリンクバーストおよび短いアップリンク制御バーストを有する2つ以上のスロットを含み得る。複数のスロットは、短いダウンリンク制御バーストおよび長いアップリンクバーストを有する少なくとも1つのスロットを含み得る。スケジューリング情報は、スケジュールされたエンティティにアップリンク制御情報の送信のために短いアップリンク制御バーストと長いアップリンクバーストのどちらかを選択させる情報を含み得る。
【００７７】
一例では、スケジューリングエンティティ1000は、短いアップリンク制御バーストの中のアップリンク制御情報の送信のためにスケジュールされたエンティティにおいて利用可能な電力を識別する情報を受信し判定するための手段1004、1010、1020、1026を有する。スケジューリング情報を生成するための手段1018、1020、1022、1024は、短いアップリンク制御バーストの中のアップリンク制御情報の確実な送信のため不十分な電力が利用可能であるとき、アップリンク制御情報の送信のために長いアップリンクバーストを選択し、短いアップリンク制御バーストの中のアップリンク制御情報の確実な送信のために十分な電力が利用可能であるとき、アップリンク制御情報の送信のために短いアップリンク制御バーストを選択することによって、スケジュールされたエンティティにおいて利用可能な電力を識別する情報に基づいて、スケジューリング情報を生成するように構成され得る。
【００７８】
一例では、スケジューリング情報を生成するための手段1018、1020、1022、1024は、1つまたは複数のアップリンク送信における干渉の測定を取得し、スケジュールされたエンティティに、1つまたは複数のアップリンク送信における干渉の測定に基づいて、アップリンク制御情報の送信のために短いアップリンク制御バーストと長いアップリンクバーストのどちらかを選択させるように、スケジューリング情報を構成するように構成される。
【００７９】
別の例では、スケジューリング情報を生成するための手段1018、1020、1022、1024は、短いアップリンク制御バーストおよび長いアップリンクバーストのうちの、負荷が少ないバーストの中でアップリンク制御情報を送信するようにスケジュールされたエンティティが構成されるようにスケジューリング情報を生成するように構成され得る。
【００８０】
一例では、スケジューリング情報を生成するための手段1018、1020、1022、1024は、複数の長いダウンリンクバーストに対応するアップリンク制御情報が共通の短いアップリンク制御バーストまたは長いアップリンクバーストの中の送信のためにスケジュールされるようにスケジューリング情報を生成するように構成される。
【００８１】
図11は、処理システム1114を採用するスケジュールされたエンティティ1100の一例のためのハードウェア実装形態の一例を示す概念図である。本開示の様々な態様によれば、要素、または要素の任意の部分、または要素の任意の組合せは、1つまたは複数のプロセッサ1104を含む処理システム1114を用いて実装することができる。たとえば、スケジュールされたエンティティ1100は、図1および/または図2のうちのいずれか1つまたは複数に示すようなユーザ機器(UE)であり得る。
【００８２】
処理システム1114は、図10に示されている処理システム1014と実質的に同じであり得、バスインターフェース1108と、バス1102と、メモリ1105と、プロセッサ1104と、コンピュータ可読媒体1106とを含む。さらに、スケジュールされたエンティティ1100は、図10において上記で説明したものと実質的に同様のユーザインターフェース1112およびトランシーバ1110を含み得る。すなわち、スケジュールされたエンティティ1100内で利用されるようなプロセッサ1104は、以下で説明し、図6〜図9に示した、スロット構造を利用するプロセスのうちのいずれか1つまたは複数を実装するために使用され得る。
【００８３】
本開示のいくつかの態様では、プロセッサ1104は、アップリンク制御フィードバック構成を提供する、図6〜図9で説明した通信機能および通信プロセスを実行するように構成され得るアップリンク制御フィードバック構成ブロック1122を含み得る。プロセッサ1104は、利用可能なヘッドルームをスケジューリングエンティティ1000に報告するように構成され得る電力管理ブロック1124を含み得る。プロセッサ1104は、プロセッサ能力を報告するように構成され得るプロセッサ監視ブロック1126を含み得る。
【００８４】
コンピュータ可読媒体1106は、図6〜図9に関して説明した様々な通信機能および通信プロセスを実行するためにプロセッサ1104によって実行され得るアップリンク制御フィードバック構成コード1130を備えて記憶され得る。たとえば、プロセッサ1104は、アップリンク制御フィードバック構成コード1130を実行するとき、図6〜図9に関して説明したようにスケジューリングエンティティ1000と通信するために複数のスロット構造1132を利用することができる。
【００８５】
図12は、本開示のいくつかの態様による、マルチTTIスロットを利用するワイヤレス通信プロセス1200を示すフローチャートである。ブロック1202において、スケジューリングエンティティ1000は、トランシーバ1010を利用して、スケジュールされたエンティティによるアップリンク制御情報の送信をスケジュールするために有効なスケジューリング情報を送信するために1つまたは複数のスケジュールされたエンティティ1100(たとえば、第1のスケジュールされたエンティティ204および第2のスケジュールされたエンティティ204)と通信することができる。ブロック1204において、スケジューリングエンティティ1000は、トランシーバ1010を利用して、長いダウンリンクバーストおよび短いアップリンク制御バーストを提供する2つ以上のスロットを送信するために1つまたは複数のスケジュールされたエンティティ1100(たとえば、第1のスケジュールされたエンティティ204および第2のスケジュールされたエンティティ204)と通信することができる。ブロック1206において、スケジューリングエンティティ1000は、トランシーバ1010を利用して、短いダウンリンク制御バーストおよび長いアップリンクバーストを提供する少なくとも1つのスロットを送信するために1つまたは複数のスケジュールされたエンティティ1100(たとえば、第1のスケジュールされたエンティティ204および第2のスケジュールされたエンティティ204)と通信することができる。スケジューリング情報は、スケジュールされたエンティティにアップリンク制御情報の送信のために短いアップリンク制御バーストと長いアップリンクバーストのどちらかを選択させるように構成され得る。
【００８６】
いくつかの例では、スケジューリングエンティティ1000は、短いアップリンク制御バーストの中のアップリンク制御情報の送信のためにスケジュールされたエンティティにおいて利用可能な電力を識別する情報を受信することができる。スケジューリングエンティティ1000は、スケジュールされたエンティティにおいて利用可能な電力を識別する情報に基づいてスケジューリング情報を生成することができる。スケジューリング情報は、スケジュールされたエンティティに、短いアップリンク制御バーストの中のアップリンク制御情報の確実な送信のために不十分な電力が利用可能であるとき、アップリンク制御情報の送信のために長いアップリンクバーストを選択させ、短いアップリンク制御バーストの中のアップリンク制御情報の確実な送信のために十分な電力が利用可能であるとき、アップリンク制御情報の送信のために短いアップリンク制御バーストを選択させるように構成され得る。一例では、PDCCH内で搬送されるDCIの中で送信される電力制御コマンドは、スケジュールされたエンティティによるアップリンク送信のために利用可能な電力を判定する。
【００８７】
スケジューリングエンティティ1000は、スケジュールされたエンティティに、短いアップリンク制御バーストの中でアップリンク制御情報を送信するとき、第1の電力設定を使用させ、ロングアップリンクバーストの中でアップリンク制御情報を送信するとき、第2の電力設定を使用させるために有効な制御情報を送信することができる。いくつかの例では、スケジューリング情報を生成するステップは、1つまたは複数のアップリンク送信における干渉の測定を取得するステップと、スケジュールされたエンティティに、1つまたは複数のアップリンク送信における干渉の測定に基づいて、アップリンク制御情報の送信のために短いアップリンク制御バーストと長いアップリンクバーストのどちらかを選択させるようにスケジューリング情報を構成するステップとを含み得る。1つまたは複数のアップリンク送信における干渉の測定は、短いアップリンク制御バーストに対して、および長いアップリンクバーストに対してスケジュールされたリソースに影響を及ぼす干渉を測定し、短いアップリンク制御バーストおよび長いアップリンクバーストに影響を及ぼす干渉の測定同士の間の差異に基づいてアップリンク制御情報をスケジュールすることによって取得され得る。干渉は、スケジューリングエンティティ1000および/または1つまたは複数のスケジュールされたエンティティ1100において測定され得る。場合によっては、干渉の測定は、異なるスケジューリングエンティティ1000によって測定された干渉を含み得る。スケジューリングエンティティ1000は、短いアップリンク制御バーストに影響を及ぼす干渉に基づいて、長いアップリンクバーストの中でアップリンク制御情報をスケジュールすることができる。
【００８８】
いくつかの例では、スケジューリングエンティティ1000は、スケジュールされたエンティティが、短いアップリンク制御バーストおよび長いアップリンクバーストのうちの、負荷が少ないバーストの中でアップリンク制御情報を送信するように構成されるようにスケジューリング情報を生成することができ。
【００８９】
いくつかの例では、スケジューリングエンティティ1000は、スケジュールされたエンティティにおいてフィードバック遅延を構成するために有効な制御情報を送信することができ、フィードバック遅延は、スケジュールされたエンティティの処理能力に基づく。フィードバック遅延は、アップリンク制御情報の送信のために使用されるべき短いアップリンク制御バーストまたは長いアップリンクバーストに対するスロットオフセットを判定するためにスケジュールされたエンティによって使用され得る。
【００９０】
いくつかの例では、スケジューリングエンティティ1000は、アグリゲートされたスロットを取得するために1つの短いアップリンク制御バーストを用いて複数の長いダウンリンクバーストをアグリゲートし、アグリゲートされたスロット内の短いアップリンク制御バーストのタイミングに基づいてスケジューリング情報を生成することができる。複数の長いダウンリンクバーストの各々に関連するフィードバックは、1つの短いアップリンク制御バーストの中で送信される。スケジューリング情報を生成するステップは、アグリゲートされたスロットの中の第1の送信されたダウンリンクバーストの中で送信されたダウンリンク制御情報の中で各ダウンリンクバーストに関するスケジューリング情報を提供するステップを含み得る。スケジューリングエンティティ1000は、アグリゲートされたスロットの中の各ダウンリンクバーストに対する短いアップリンク制御バーストの相対的タイミングを算出することができる。
【００９１】
一例では、スケジューリングエンティティ1000は、複数の長いダウンリンクバーストに対応するアップリンク制御情報が共通の短いアップリンク制御バーストまたは長いアップリンクバーストの中の送信のためにスケジュールされるようにスケジューリング情報を生成することができる。
【００９２】
いくつかの例では、干渉の測定は、スケジュールされたエンティティにおける受信アンテナにおけるSINRの測定から取得され得る。スケジューリングエンティティ1000は、他のエンティティから干渉の測定を受信することもできる。場合によっては、SINR測定は、無線アクセスネットワーク上で送信されたSRSまたは他のパイロット信号を使用して取得され得る。スケジューリングエンティティ1000は、チャネル推定を提供する基準信号を送信することができる。スケジュールされたエンティティは、基準信号を使用してチャネル品質を測定することができ、CQI値およびRI値をスケジューリングエンティティ1000にフィードバックすることができる。
【００９３】
図13は、本開示のいくつかの態様による、マルチTTIスロットを利用するワイヤレス通信プロセス1300を示すフローチャートである。ブロック1302において、スケジュールされたエンティティ1100は、トランシーバ1110を利用して、無線アクセスネットワークからダウンリンク制御情報を受信するためにスケジューリングエンティティ1000(たとえば、スケジューリングエンティティ202)と通信することができる。ブロック1304において、スケジュールされたエンティティ1100は、ダウンリンク制御情報内のスケジューリング情報に基づいて、アップリンク制御情報を送信するために利用可能な複数のスロットを判定することができる。ブロック1306において、スケジュールされたエンティティ1100は、スケジューリング情報に従ってアップリンク制御情報を送信することができる。複数のスロットは、各々が長いダウンリンクバーストおよび短いアップリンク制御バーストを提供する2つ以上のスロットを含み得る。少なくとも1つのスロットは、短いダウンリンク制御バーストおよび長いアップリンクバーストを提供する。アップリンク制御情報は、無線アクセスネットワーク内のチャネルの状態またはスケジュールされたエンティティの能力に基づいて選択されたスロットの中で送信され得る。
【００９４】
いくつかの例では、スケジュールされたエンティティ1100は、ダウンリンク制御情報に基づいてスケジュールされたエンティティによってアップリンク制御情報を送信するために利用可能な電力を算出し、無線アクセスネットワークを介して利用可能な電力の指示を送信することができる。スケジューリング情報は、スケジュールされたエンティティによって送信される利用可能な電力の指示に基づき得る。一例では、PDCCH内で搬送されるDCIの中で送信される電力制御コマンドは、スケジュールされたエンティティによるアップリンク送信のために利用可能な電力を判定する。短いアップリンク制御バーストの中のアップリンク制御情報の確実な送信のために不十分な電力が利用可能であるとき、アップリンク制御情報の送信のために長いアップリンクバーストが選択され得る。短いアップリンク制御バーストの中のアップリンク制御情報の確実な送信のために十分な電力が利用可能であるとき、アップリンク制御情報の送信のために短いアップリンク制御バーストが選択され得る。電力が十分であることは、利用可能な電力の指示に基づいて判定され得る。
【００９５】
いくつかの例では、スケジュールされたエンティティ1100は、制御情報に応じて短いアップリンク制御バーストの中でアップリンク制御情報を送信するとき、第1の電力設定を使用することができる。スケジュールされたエンティティ1100は、長いアップリンクバーストの中でアップリンク制御情報を送信するとき、第2の電力設定を使用することができる。
【００９６】
いくつかの例では、スケジュールされたエンティティ1100は、1つまたは複数のアップリンク送信における干渉の測定に基づいて、アップリンク制御情報の送信のために短いアップリンク制御バーストと長いアップリンクバーストのどちらかを選択することができる。いくつかの例では、干渉の測定は、スケジュールされたエンティティにおける受信アンテナにおけるSINRの測定から取得され得る。スケジューリングエンティティ1000は、スケジュールされたエンティティ1100を含めて、他のエンティティから干渉の測定を受信することもできる。場合によっては、SINR測定は、無線アクセスネットワーク上で送信されたSRSまたは他のパイロット信号を使用して取得され得る。スケジューリングエンティティ1000は、チャネル推定を提供する基準信号を送信することができる。スケジュールされたエンティティ1100は、基準信号を使用してチャネル品質を測定することができ、CQI値およびRI値をスケジューリングエンティティ1000にフィードバックすることができる。測定された干渉は、短いアップリンク制御バーストに対して、および長いアップリンクバーストに対してスケジュールされたリソースに影響を及ぼし得る。アップリンク制御送信は、短いアップリンク制御バーストおよび長いアップリンクバーストに影響を及ぼす干渉の測定同士の間の差異に基づいてスケジュールされ得る。アップリンク制御情報は、短いアップリンク制御バーストに影響を及ぼす干渉に基づいて、長いアップリンクバーストの中でスケジュールされ得る。
【００９７】
一例では、スケジュールされたエンティティ1100は、短いアップリンク制御バーストおよび長いアップリンクバーストのうちの、負荷が少ないバーストの中でアップリンク制御情報を送信することができる。
【００９８】
いくつかの例では、スケジュールされたエンティティ1100は、スケジュールされたエンティティの処理能力に基づいてフィードバック遅延の後に生じるスロットの中でアップリンク制御情報を送信することができる。フィードバック遅延は、ダウンリンク制御情報から判定され得る。
【００９９】
様々な例ではスケジュールされたエンティティ1100は、複数のアグリゲートされたスロットの各々に関連するフィードバックを含めて、アップリンク制御情報を複数のアグリゲートされたスロットの中の1つの短いアップリンク制御バーストの中で送信することによって、長いダウンリンクバーストを送信することができる。アグリゲートされたスロットは、複数の長いダウンリンクバーストと1つの短いアップリンク制御バーストとを含み得る。スケジューリング情報は、アグリゲートされたスロットの中の第1の送信されたダウンリンクバーストの中で送信されたダウンリンク制御情報内の各ダウンリンクバーストに関するスケジューリング情報を含み得る。スケジュールされたエンティティは、アグリゲートされたスロットの中の各ダウンリンクバーストに対する短いアップリンク制御バーストの相対的タイミングを算出することができる。複数の長いダウンリンクバーストに対応するアップリンク制御情報が共通の短いアップリンク制御バーストまたは長いアップリンクバーストの中の送信のためにスケジュールされるようにスケジューリング情報を生成することができる。
【０１００】
ワイヤレス通信ネットワークのいくつかの態様が、例示的な実装形態を参照しながら提示されている。当業者が容易に諒解するように、本開示の全体にわたって説明した様々な態様は、他の電気通信システム、ネットワークアーキテクチャ、および通信規格に拡張され得る。
【０１０１】
例として、様々な態様は、ロングタームエボリューション(LTE)、発展型パケットシステム(EPS)、ユニバーサル移動体電気通信システム(UMTS)、および/またはモバイル用グローバルシステム(GSM(登録商標))などの、3GPPによって定義された他のシステム内で実装され得る。様々な態様はまた、CDMA2000および/またはエボリューションデータオプティマイズド(EV-DO)などの、第3世代パートナーシッププロジェクト2(3GPP2)によって定義されたシステムに拡張され得る。他の例は、IEEE802.11(Wi-Fi)、IEEE802.16(WiMAX)、IEEE802.20、ウルトラワイドバンド(UWB)、Bluetooth(登録商標)、および/または他の好適なシステムを採用するシステム内で実装され得る。採用される実際の電気通信規格、ネットワークアーキテクチャ、および/または通信規格は、特定の適用例およびシステムに課される全体的な設計制約に依拠する。
【０１０２】
本開示内では、「例示的」という単語は、「例、事例、または例示としての役割を果たす」ことを意味するために使用される。「例示的」として本明細書で説明したいかなる実装形態または態様も、必ずしも本開示の他の態様よりも好ましいまたは有利であると解釈されるべきでない。同様に、「態様」という用語は、本開示のすべての態様が、説明した特徴、利点、または動作モードを含むことを必要としない。「結合される」という用語は、2つの物体間の直接的または間接的な結合を指すために本明細書において使用される。たとえば、物体Aが物体Bに物理的に接触し、物体Bが物体Cに接触する場合、物体Aおよび物体Cは、直接的に物理的に互いに接触しない場合であっても、それでもやはり互いに結合されると見なされることがある。たとえば、第1の物体が第2の物体と決して直接的に物理的に接触していなくても、第1の物体は第2の物体に結合され得る。「回路(circuit)」および「回路構成(circuitry)」という用語は広く使用され、電子回路のタイプに関して限定はしないが、接続および構成されたとき、本開示で説明した機能の実行を可能にする電気デバイスのハードウェア実装と導体の両方、ならびにプロセッサによって実行されたとき、本開示で説明した機能の実行を可能にする情報および命令のソフトウェア実装を含むものとする。
【０１０３】
図1〜図19に示された構成要素、ステップ、特徴、および/または機能のうちの1つまたは複数は、単一の構成要素、ステップ、特徴、または機能に再編成および/または組み合わせられてもよく、いくつかの構成要素、ステップ、または機能に具体化されてもよい。本明細書で開示された新規な特徴から逸脱することなしに、追加の要素、構成要素、ステップ、および/または機能が追加され得る。図1〜図19の示された装置、デバイス、および/または構成要素は、本明細書で説明した方法、特徴、またはステップのうちの1つまたは複数を実行するように構成され得る。本明細書で説明した新規のアルゴリズムはまた、ソフトウェアにおいて効率的に実装されてよく、かつ/またはハードウェアに組み込まれてもよい。
【０１０４】
開示した方法におけるステップの特定の順序または階層が例示的なプロセスを示すものであることを理解されたい。設計選好に基づいて、方法におけるステップの特定の順序または階層が並べ替えられてよいことが理解される。添付の方法クレームは、例示的な順序で様々なステップの要素を提示しており、そこに具体的に記載されていない限り、提示された特定の順序または階層に限定されるものではない。
【０１０５】
上述の説明は、本明細書で説明した様々な態様を当業者が実践できるようにするために提供される。これらの態様の様々な変更が、当業者には容易に明らかになり、本明細書において規定される一般原理は、他の態様に適用される場合がある。したがって、特許請求の範囲は本明細書で示した態様に限定されるものではなく、特許請求の範囲の文言と一致する完全な範囲を与えられるべきであり、単数形での要素への言及は、そのように具体的に明記されていない限り「唯一無二の」ではなく、むしろ「1つまたは複数の」を意味することを意図する。別段に具体的に明記されていない限り、「いくつか(some)」という用語は、1つまたは複数を指す。項目の列挙「のうちの少なくとも1つ」を指す句は、単一のメンバーを含むそれらの項目の任意の組合せを指す。一例として、「a、b、またはcのうちの少なくとも1つ」は、a、b、c、aおよびb、aおよびc、bおよびc、ならびにa、bおよびcを包含することを意図している。当業者に知られているか、または後に知られることになる、本開示を通じて説明した様々な態様の要素に対するすべての構造的および機能的同等物は、参照により本明細書に明確に組み込まれ、特許請求の範囲によって包含されることが意図される。その上、本明細書に開示したものはいずれも、そのような開示が特許請求の範囲において明示的に列挙されているかどうかにかかわらず、公に供されるものではない。請求項のいかなる要素も、「のための手段」という句を使用して要素が明示的に列挙されていない限り、または方法クレームの場合、「のためのステップ」という句を使用して要素が列挙されていない限り、米国特許法第112条(f)の規定の下で解釈されるべきではない。
【符号の説明】
【０１０６】
100  無線アクセスネットワーク
102  マクロセル、セル、サービングセル
104  マクロセル、セル
106  マクロセル、セル、隣接セル
108  スモールセル、セル
110  高電力基地局、基地局、サービング基地局
112  高電力基地局、基地局
114  第3の高電力基地局、高電力基地局、基地局
116  リモート無線ヘッド、RRH、基地局
118  低電力基地局、基地局
120  クアッドコプターまたはドローン、モバイル基地局、基地局
122  UE
124  UE
126  UE
127  ピアツーピア(P2P)またはサイドリンク信号
128  UE
130  UE
132  UE
134  UE
136  UE
138  UE
140  UE
142  UE
200  ブロック図
202  スケジューリングエンティティ
204  スケジュードエンティティ
204a  スケジュールされたエンティティ、第1のスケジュールされたエンティティ
204b  スケジュールされたエンティティ、第2のスケジュールされたエンティティ
206  トラフィック
208  制御
210  アップリンクトラフィック
212  アップリンク制御
214  サイドリンクトラフィック、サイドリンクトラフィック情報
216  サイドリンク制御、サイドリンク制御情報
302  ULセントリックスロット構造
304  DLセントリックスロット構造
306  DLバースト
308  ULバースト
400  自己完結型スロット、DLセントリックスロット、スロット
402  DL制御情報、Tx部分、DL制御領域
404  DLデータ部分、データ部分、Tx部分
406  ガード期間部分、GP部分
408  ACK部分(UL制御)、ACK/NACK部分
410  自己完結型スロット、アップリンクセントリックスロット、スロット、ULセントリックスロット
412  DL制御領域
414  GP部分
416  データ部分、ULデータ部分
418  UL送信期間
420  ULバースト
502  DLセントリックスロット
504  ULセントリックスロット
506  共通DLバースト
508  共通ULバースト
600  送信
602  DLバースト
604  短持続時間ULバースト
606  短いDLバースト
608  長持続時間ULバースト
610a  スロット、DLセントリックスロット
610b  スロット、DLセントリックスロット
610c  スロット、DLセントリックスロット
610d  スロット、ULセントリックスロット
610e  スロット、DLセントリックスロット
700  例、第1の例
702  DLバースト
704  短持続時間ULバースト
710  ULフィードバック
720  例、第2の例
722  DLバースト
724  短持続時間UL制御バースト
728  長持続時間UL制御バースト
730  ULフィードバック
732  ULフィードバック
734  ULフィードバック
800  例、第1の例
802  長持続時間DLバースト
804  短持続時間UL制御バースト
810  フィードバック
820  例、第2の例
822  長持続時間DLバースト
824  短持続時間UL制御バースト
826  短持続時間DL制御バースト
828  長持続時間UL制御バースト
830  フィードバック
900  例、第1の例
902  DLスロット、スロット、第1のスロット
904  DLスロット、スロット
906 DLスロット、スロット
908  次の短持続時間UL制御バースト
912  DL制御情報
914  DL制御情報
916  DL制御情報
922  フィードバック
924  フィードバック
926  フィードバック
940  例、第2の例
942  第1のDLスロット
944  次の短持続時間UL制御バースト、短持続時間UL制御バースト
946  フィードバック
948  フィードバック
950  フィードバック
952  DL制御情報
1000  スケジューリングエンティティ
1002  バス
1004  プロセッサ、情報をスケジュールされたエンティティにワイヤレスで送信するための手段、スケジュールされたエンティティにおいて利用可能な電力を識別する情報を受信し判定するための手段
1005  メモリ
1006  コンピュータ可読媒体
1008  バスインターフェース
1010  トランシーバ、情報をスケジュールされたエンティティにワイヤレスで送信するための手段、スケジュールされたエンティティにおいて利用可能な電力を識別する情報を受信し判定するための手段
1012  ユーザインターフェース
1014  処理システム
1018  アップリンク制御フィードバック構成ブロック、スケジューリング情報を生成するための手段
1020  スケジュールされたエンティティ電力ヘッドルーム判定ブロック、スケジューリング情報を生成するための手段、スケジュールされたエンティティにおいて利用可能な電力を識別する情報を受信し判定するための手段
1022  スケジュールされたエンティティ処理能力判定ブロック、スケジューリング情報を生成するための手段
1024  スロットアグリゲーション管理ブロック、スケジューリング情報を生成するための手段
1026  送信機制御モジュール、情報をスケジュールされたエンティティにワイヤレスで送信するための手段、スケジュールされたエンティティにおいて利用可能な電力を識別する情報を受信し判定するための手段
1030  アップリンク制御フィードバック構成コード
1032  スロット構造
1100  スケジュールされたエンティティ
1102  バス
1104  プロセッサ
1105  メモリ
1106  コンピュータ可読媒体
1108  バスインターフェース
1110  トランシーバ
1112  ユーザインターフェース
1114  処理システム
1122  アップリンク制御フィードバック構成ブロック
1124  電力管理ブロック
1126  プロセッサ監視ブロック
1130  アップリンク制御フィードバック構成コード
1132  スロット構造
1200  ワイヤレス通信プロセス
1300  ワイヤレス通信プロセス
【図１】
2020502863.tif 000003
【図２】
2020502863.tif 000004
【図３】
2020502863.tif 000005
【図４】
2020502863.tif 000006
【図５】
2020502863.tif 000007
【図６】
2020502863.tif 000008
【図７】
2020502863.tif 000009
【図８】
2020502863.tif 000010
【図９】
2020502863.tif 000011
【図１０】
2020502863.tif 000012
【図１１】
2020502863.tif 000013
【図１２】
2020502863.tif 000014
【図１３】
2020502863.tif 000015
【国際調査報告】
2020502863.tif 000016
2020502863.tif 000017
2020502863.tif 000018
2020502863.tif 000019